(57)【要約】【課題】確実にディスク状の記録媒体を保持するディスクカメラレコーダを提供する。【解決手段】長手状に形成されて、長手一端側がベースプレート１１０に対して回動自在に支持される第１シフトアーム２１０と、長手状に形成されて、長手略中央部が第１シフトアーム２１０の長手略中央部と交差して互いに回動自在に連結され、長手一端側がベースプレート１１０に対して回動可能、かつ左右方向に移動可能に支持される第２シフトアーム２２０と、これらの第１、第２シフトアーム２１０，２２０の長手他端側に保持されるとともに、センタリング状態に搬送された光ディスクＤを保持するターンテーブル３２１を備えたディスク情報処理部３００と、第１シフトアーム２１０を光ディスクＤに対して進退させるスライドカム２４０とを具備した。【選択図】図２
2008084354.tif 000002
【特許請求の範囲】
【請求項１】
ディスク状の記録媒体を挿通する挿通口、この挿通口から挿通された前記記録媒体を収納する収納空間、およびこの収納空間に収納された前記記録媒体のディスク面に対向するベース面を備えたベース部材を有する筐体の内部に設けられるとともに、長手状に形成されて、長手一端側が前記ベース面に対して回動自在に支持される第一部材と、
前記筐体内部に設けられるとともに、長手状に形成されて、長手略中央部が前記第一部材の長手略中央部と交差して互いに回動自在に連結され、長手一端側が前記ベース面に対して回動可能、かつ前記第一部材の長手一端部に接離する方向に移動可能に支持される第二部材と、
前記第一部材の長手他端側および前記第二部材の長手他端側に保持されるとともに、前記収納空間に収納された前記記録媒体を保持する保持部を備えたディスク保持部材と、
前記第一部材を回動させる回動手段と、
を具備したことを特徴としたディスク保持装置。
【請求項２】
請求項１に記載のディスク保持装置であって、
前記第一部材は、長手状に形成されるとともに、長手一端部が前記ベース面に回動自在に支持される一対の略平行する第一アーム部と、これらの第一アーム部の長手他端部同士を連結する第一アーム基部とを備えた略コ字状に形成され、
前記第二部材は、長手状に形成されるとともに、略中央部が前記第一アーム部の略中央に回動可能に連結されるとともに、長手一端部が前記ベース面に回動自在かつ、前記第一アーム部の長手一端部に接離する方向に移動可能に支持される一対の略平行する第二アーム部と、これらの第二アーム部の長手他端部同士を連結する第二アーム基部と、を備えた略コ字状に形成された
ことを特徴としたディスク保持装置。
【請求項３】
請求項２に記載のディスク保持装置であって、
前記ディスク保持部材は、略矩形状の台座部を有し、前記台座部の４隅が前記第一アーム部および前記第一アーム基部の連結位置および前記第二アーム部および前記第二アーム基部の連結位置にそれぞれ保持された
ことを特徴としたディスク保持装置。
【請求項４】
請求項１ないし請求項３のいずれかに記載のディスク保持装置であって、
前記ディスク保持部材は、弾性部材を介して前記第一部材および前記第二部材に保持された
ことを特徴としたディスク保持装置。
【請求項５】
請求項１ないし請求項４のいずれかに記載のディスク保持装置であって、
前記回動手段は、前記第一部材の長手他端側を前記収納空間に対して進退させる
ことを特徴としたディスク保持装置。
【請求項６】
請求項１ないし請求項５のいずれかに記載のディスク保持装置であって、
前記ベース部材は、前記第一部材を回動可能に支持する略円形の第一回動軸孔と、前記第二部材を回動可能に支持するとともに前記第一回動軸孔に向かう方向に長手となる略長円形の第二回動軸孔と、を備え、
前記第一部材および前記第二部材は、前記第一回動軸孔および前記第二回動軸孔にそれぞれ軸部材を挿通することで回動自在に支持された
ことを特徴としたディスク保持装置。
【請求項７】
請求項１ないし請求項６のいずれかに記載のディスク保持装置と、
前記ディスク保持装置を内部に収納する前記筐体と、
前記ディスク保持装置の前記保持部に保持された前記記録媒体に記録された情報を読み込む読込処理および前記記録媒体に情報を記録する記録処理のうち少なくともいずれか一方の処理を実施する情報処理部と、
を具備したことを特徴としたディスク装置。
【請求項８】
レンズを有した撮像部と、
この撮像部にて取得した撮像データを前記記録媒体に記録する請求項７に記載のディスク装置と、
を具備したことを特徴とした撮像装置。
【請求項９】
請求項８に記載の撮像装置であって、
前記ディスク装置を構成する前記筐体の前記ディスク挿通部は、撮像時に上方に位置する状態で設けられた
ことを特徴とした撮像装置。
【発明の詳細な説明】
【技術分野】
【０００１】
本発明は、ディスク状の記録媒体を保持するディスク保持装置、ディスク装置および撮像装置に関する。
【背景技術】
【０００２】
従来、ディスク状の記録媒体を保持する保持部を備えたディスク装置が知られている（例えば、特許文献１）。
【０００３】
この特許文献１に記載のものは、四辺形のベースシャーシの奥側両端部にサブシャーシの後部両端が俯仰可能に支持され、このサブシャーシ上に、ターンテーブルおよび光学ピックアップ装置が設けられたディスクプレーヤ装置である。このディスクプレーヤ装置では、ベースシャーシの前部上面に昇降可能な昇降駆動レバーが設けられ、この昇降レバーにサブシャーシの一端側が連結され、この昇降駆動レバーの昇降によりサブシャーシが俯仰動作する構成が採られている。
【０００４】
【特許文献１】特開２００６−３１９３４号公報（第６頁ないし第１２頁、図７および図８参照）
【発明の開示】
【発明が解決しようとする課題】
【０００５】
ところで、特許文献１に記載のような従来の構成のディスクプレーや装置では、サブシャーシの後部側を位置決めし、前部側を昇降させて俯仰動作させているため、サブシャーシは後部側の位置決め箇所を中心として略円弧状に回動する。したがって、サブシャーシに設けられるターンテーブルもサブシャーシの位置決め箇所を中心として略円弧状に移動する。このため、ディスクプレーヤ装置の内部に搬入された光ディスクの面に対してターンテーブルが傾斜する角度で侵入する。したがって、光ディスクにターンテーブルの一端縁が当接した後、光ディスクの略中心に設けられる孔部にターンテーブルが挿通される。この時、ターンテーブルの一端縁が光ディスクに当接した際に光ディスクの位置がずれてしまうおそれがあり、このような場合、光ディスクの略中心に設けられる孔部にターンディスクが保持されない、いわゆるミスクランプが発生するおそれがあるという問題が挙げられる。
【０００６】
本発明は、上記のような問題に鑑みて、確実にディスク状の記録媒体を保持するディスク保持装置、ディスク装置および撮像装置を提供することを１つの目的とする。
【課題を解決するための手段】
【０００７】
請求項１に記載の発明は、ディスク状の記録媒体を挿通する挿通口、この挿通口から挿通された前記記録媒体を収納する収納空間、およびこの収納空間に収納された前記記録媒体のディスク面に対向するベース面を備えたベース部材を有する筐体の内部に設けられるとともに、長手状に形成されて、長手一端側が前記ベース面に対して回動自在に支持される第一部材と、前記筐体内部に設けられるとともに、長手状に形成されて、長手略中央部が前記第一部材の長手略中央部と交差して互いに回動自在に連結され、長手一端側が前記ベース面に対して回動可能、かつ前記第一部材の長手一端部に接離する方向に移動可能に支持される第二部材と、前記第一部材の長手他端側および前記第二部材の長手他端側に保持されるとともに、前記収納空間に収納された前記記録媒体を保持する保持部を備えたディスク保持部材と、前記第一部材を回動させる回動手段と、を具備したことを特徴としたディスク保持装置である。
【０００８】
請求項７に記載の発明は、請求項１ないし請求項６のいずれかに記載のディスク保持装置と、前記ディスク保持装置を内部に収納する前記筐体と、前記ディスク保持装置の前記保持部に保持された前記記録媒体に記録された情報を読み込む読込処理および前記記録媒体に情報を記録する記録処理のうち少なくともいずれか一方の処理を実施する情報処理部と、を具備したことを特徴としたディスク装置である。
【０００９】
請求項８に記載の発明は、レンズを有した撮像部と、この撮像部にて取得した撮像データを前記記録媒体に記録する請求項７に記載のディスク装置と、を具備したことを特徴とした撮像装置である。
【発明を実施するための最良の形態】
【００１０】
以下、本発明における一実施の形態を図面に基づいて説明する。
図１は、本発明に係る一実施の形態のディスクカメラレコーダの全体の概略を模式的に示す図である。
【００１１】
〔ディスクカメラレコーダの構成〕
図１において、１は、本発明の一実施の形態に係る撮像装置としてのディスクカメラレコーダであり、このディスクカメラレコーダ１は、動画情報、音声情報、画像情報などの各種情報を録画して記録媒体としての光ディスクＤに記録したり、光ディスクＤに記録された各種情報を再生したりする装置である。このディスクカメラレコーダ１に利用できる光ディスクＤとしては、例えばＣＤ(Compact Disc)、ＤＶＤ(Digital Versatile Disc)、ＢＤ(Blu-ray Disc)などの各種ディスク状記録媒体が利用できる。
このディスクカメラレコーダ１は、図１に示すように、外部ケース１１と、撮影レンズ１２と、撮影窓１３と、ディスク装置としてのディスク処理部２０と、外部ケース１１の内部に設けられる図示しない制御回路部と、図示しないコントローラ部と、図示しない小型ディスプレイと、などを備えている。
【００１２】
外部ケース１１は、内部空間を有する箱状に形成されている。この外部ケース１１の各面には、それぞれ内部と外部とを連通する窓部が形成され、この窓部に臨んで前述した撮影レンズ１２、撮影窓１３、コントローラ部およびディスク処理部２０が設けられている。
【００１３】
撮影レンズ１２は、外部ケース１１の前面の窓部に臨んで設けられている。この撮影レンズ１２は、外部の画像光を取り込む。ここで取り込まれた画像光は、図示しない画像変換処理部にて画像信号に変換され、外部ケース１１内部の制御回路部に入力される。
【００１４】
撮影窓１３は、外部ケース１１の背面の窓部に臨んで設けられている。この撮影窓１３は、例えば光学的に撮影レンズ１２に接続されており、この撮影窓１３から撮影レンズ１２に取り込まれる外部画像を確認することが可能となる。
【００１５】
コントローラ部は、例えば外部ケース１１の天面、背面、および側面に配置される複数の操作ボタンを備えている。これらの操作ボタンはそれぞれ外部ケース１１内部の制御回路部に電気的に接続されており、これらの操作ボタンを操作することで所定の操作信号を制御回路部に出力する。
【００１６】
小型ディスプレイは、外部ケース１１のディスク処理部２０が設けられた側面とは反対側面に、外部ケース１１に対して回動可能に設けられている。この小型ディスプレイは、外部ケース１１内部の制御回路部に電気的に接続され、情報処理部から出力される各種画像情報を表示させる。
【００１７】
ディスク処理部２０は、外部ケース１１の一側面に設けられている。このディスク処理部２０は、外部ケース１１の一側面から突出するディスク設置部２１を備えている。ディスク設置部２１は、外部ケース１１の側面から立ち上がる立上部２２と、この立上部２２の開口を略閉塞する状態で設けられる筐体を構成するカバー１００と、を備えている。なお、ディスク処理部２０の内部構成については、後述する。
【００１８】
カバー１００は、例えば樹脂材料により形成された略Ｄ字板状のカバー基部１０１を備えている。また、カバー基部１０１の周縁には、略垂直に立設するカバー周縁部１０２が設けられている。さらに、このカバー周縁部１０２の上側縁側には、光ディスクＤを挿通可能なスリット状の挿通口としてのディスク挿通孔１０２Ａが設けられている。
【００１９】
制御回路部は、ディスクカメラレコーダ１全体の動作を制御する。
具体的には、制御回路部は、コントローラ部から入力される操作信号に基づいて、各種処理を実施する。この各種処理とは、例えば、画像変換部における撮影レンズ１２から取り込まれた画像光を画像信号に変換する処理、小型ディスプレイから画像情報を出力させる処理、取り込まれた画像をディスク処理部に設置された光ディスクＤに録画させる録画処理、ディスク処理部２０に設置された光ディスクＤから情報を読み込む処理などが挙げられる。
【００２０】
（ディスク処理部の内部構成）
次に、ディスク処理部２０の内部構成について説明する。
図２は、ディスクカメラレコーダを構成するディスク処理部の内部構成を示す平面図である。図３は、ディスク処理部の下側縁側を表す図である。図４は、ディスク処理部の上側縁側を表す図である。図５は、ディスク処理部の左側縁側を表す図である。図６は、ディスク処理部の右側縁側を表す図である。図７は、ディスク処理部の右側縁側を表す断面図である。図８は、ディスク処理部の平面図である。
ディスク処理部２０は、図２に示すように、例えば金属板により、平面視で略Ｄ字状の板状に形成された筐体を構成するベース部材としてのベースプレート１１０を備えている。
ここで、以下において、ベースプレート１１０における撮影レンズ１２側の略直線状の側縁（図２における右側の側縁）を右側縁と、撮影窓１３側の略円弧状の側縁（図２における左側の側縁）を左側縁と、撮影時に上側に位置する側縁（図２における上側の側縁）を上側縁と、下側に位置する側縁（図２における下側の側縁）を下側縁と、右側縁および左側縁を結ぶ方向を左右方向と、上側縁および下側縁を結ぶ方向を上下方向と、図２における紙面に直交する方向を前後方向と、それぞれ適宜称して説明する。また、図２における紙面手前側が本発明のベースプレート１１０のベース面を構成する。
【００２１】
ベースプレート１１０の下側縁には、図２および図３に示すように、右側縁側から左側縁側にかけて略垂直に折曲形成された第１立設部１１１が設けられている。この第１立設部１１１の右側縁側および左側縁側の先端は、ベースプレート１１０と反対側に略半円板状に突出する形状に形成されている。そして、この左側縁側の突出部分には、第一回動軸孔としての軸孔１１１Ａが穿設されている。また、右側縁側の突出部分には、長手方向が左右方向と一致する長円形状の第二回動軸孔としての長軸孔１１１Ｂが穿設されている。
【００２２】
また、ベースプレート１１０の上側縁における右側縁側には、図２および図４に示すように、第１立設部１１１と同一方向に折曲形成された第２立設部１１２が設けられている。この第２立設部１１２の右側縁側の先端は、ベースプレート１１０と反対側に略半円板状に突出する形状に形成されている。そして、この突出部分における長軸孔１１１Ｂに対向する位置には、長軸孔１１１Ｂと同一形状の第二回動軸孔としての長軸孔１１２Ａが穿設されている。
さらに、ベースプレート１１０の上側縁近傍には、第１立設部１１１の左側縁側の部分に対向する状態で切り起こし形成された第３立設部１１３が設けられている。この第３立設部１１３における軸孔１１１Ａに対向する位置には、軸孔１１１Ａと同一形状の第一回動軸孔としての軸孔１１３Ａが穿設されている。
そして、ベースプレート１１０の上側縁における左側縁側には、第２立設部１１２と同一方向に折曲形成された第４立設部１１４が設けられている。この第４立設部１１４の先端における右側縁側には、舌片状に切り起こし形成されたシャッタ案内部１１４Ａが設けられている。
さらに、ベースプレート１１０の上側縁における左右方向略中央には、第４立設部１１４と同一方向に折曲形成された第５立設部１１５が設けられている。この第５立設部１１５の先端における左側縁側には、シャッタ案内部１１４Ａと同一形状に形成されたシャッタ案内部１１５Ａが設けられている。
【００２３】
そして、ベースプレート１１０の左側縁近傍における上側縁側には、図２および図５に示すように、第１立設部１１１と同一方向に切り起こし形成された第６立設部１１６が設けられている。この第６立設部１１６には、軸孔１１６Ａが穿設されている。
さらに、ベースプレート１１０の左右方向略中央には、図２に示すように、第６立設部１１６に対向する状態で切り起こし形成された第７立設部１１７が設けられている。この第７立設部１１７における軸孔１１６Ａに対向する位置には、軸孔１１６Ａと同一形状の図示しない軸孔が穿設されている。
また、第６立設部１１６の下側縁側には、図２および図３に示すように、第６立設部１１６と同一方向に切り起こし形成された第８立設部１１８が設けられている。この第８立設部１１８には、略半円状に切り欠き形成されたばね掛け溝１１８Ａが設けられている。
【００２４】
さらに、ベースプレート１１０の右側縁には、図２および図６に示すように、第１立設部１１１と同一方向に折曲形成された第９立設部１１９が設けられている。この第９立設部１１９の基端における上下方向略中央には、略長円形状に切り欠き形成された第１切欠部１１９Ａが設けられている。また、第９立設部１１９の先端における第１切欠部１１９Ａに対向する位置には、第１切欠部１１９Ａと同一形状に形成された第２切欠部１１９Ｂが設けられている。さらに、第２切欠部１１９Ｂの上側縁側には、略長円形状に切り欠き形成された第３切欠部１１９Ｃが設けられている。また、第２切欠部１１９Ｂの下側縁側には、左側縁側に折曲形成されたシャーシ支持部１１９Ｄが設けられている。そして、第１切欠部１１９Ａの上側縁側には、第１軸孔１１９Ｅが穿設されている。また、第１切欠部１１９Ａおよび第２切欠部１１９Ｂの間には、第２軸孔１１９Ｆが穿設されている。さらに、第２軸孔１１９Ｆの下側縁側には、第３軸孔１１９Ｇが穿設されている。
【００２５】
また、ベースプレート１１０の第８立設部１１８の下側縁側には、図２に示すように、２個のばね掛け孔１２０が離れた状態で穿設されている。
【００２６】
また、ベースプレート１１０の左側縁側には、図２、図３、および、図５に示すように、略棒状のアンクランプピン１３０が立設されている。このアンクランプピン１３０の先端位置は、光ディスクＤが後述するターンテーブル３２１で保持された際に光ディスクＤに接触せず、かつ、この保持を解除するために光ディスクＤがベースプレート１１０側に搬送される際に光ディスクＤに接触する位置に設定されている。
そして、ベースプレート１１０の左側縁近傍には、図３および図４に示すように、略棒状のシャーシ支持棒１３１が立設されている。このシャーシ支持棒１３１の先端位置は、シャーシ支持部１１９Ｄの上面の位置と略等しい位置に設定されている。
【００２７】
さらに、ベースプレート１１０の右側縁側には、図２〜図４、図７に示すように、上側縁側から下側縁側にかけて、カムガイド１４０が設けられている。
このカムガイド１４０は、長手方向が上下方向と一致する長方形板状に形成されたガイド基部１４１を備えている。このガイド基部１４１の短手方向両側縁には、ガイド基部１４１の面方向と直交する方向に延出するガイド側部１４２がそれぞれ設けられている。これらガイド基部１４１およびガイド側部１４２は、後述するスライドカム２４０の移動をガイドするガイド部１４３を略区画形成している。
また、ガイド基部１４１の短手方向両側縁には、ガイド側部１４２と反対側に突出するガイド脚部１４４がそれぞれ設けられている。
さらに、一方のガイド脚部１４４の先端には、ガイド基部１４１の面外方向に延出し、ベースプレート１１０に固定される固定部１４５が設けられている。
そして、ガイド基部１４１の上側縁側には、固定部１４５と反対方向に延出するスイッチ配置部１４６が設けられている。
【００２８】
また、ベースプレート１１０には、図２、図４、図５に示すように、シャッタ機構１６０が設けられている。このシャッタ機構１６０は、シャッタ１７０と、シャッタアーム１８０と、を備えている。
【００２９】
シャッタ１７０は、例えば長方形の金属板を円弧状に湾曲して形成したシャッタ本体１７１を備えている。
このシャッタ本体１７１の長手方向の一側縁には、円弧状の中心方向に向けて突出し、かつ、円弧状の周方向に並んで設けられた２個の接続部１７２が一体的に形成されている。さらに、これら接続部１７２の先端には、長方形板状の係合板１７３が一体的に設けられている。この係合板１７３は、長手方向がシャッタ本体１７１の長手方向と一致し、かつ、シャッタ本体１７１の面外方向に突出する状態で設けられている。また、係合板１７３には、長手方向が係合板１７３の長手方向と一致する状態で２個の係合孔１７３Ａが開口形成されている。これら係合孔１７３Ａは、係合板１７３の長手方向両端側にそれぞれ設けられている。
そして、シャッタ１７０は、シャッタ本体１７１の長手方向両端側がベースプレート１１０の第４，第５立設部１１４，１１５およびシャッタ案内部１１４Ａ，１１５Ａにそれぞれ挟まれ、かつ、係合板１７３がベースプレート１１０側に位置する状態で設けられる。
【００３０】
シャッタアーム１８０は、例えば金属板により略長方形板状に形成された基部１８１を備えている。この基部１８１の長手方向一端側には、略垂直に折曲形成された第１立設部１８２が設けられている。この第１立設部１８２の先端側には、基部１８１の面内方向に向けて突出する回動軸１８３が設けられている。
また、基部１８１の長手方向他端側には、第１立設部１８２と同一方向に折曲形成された第２立設部１８４が設けられている。この第２立設部１８４における回動軸１８３に略対向する位置には、基部１８１の面外方向に向けて突出する回動軸１８５が設けられている。さらに、第２立設部１８４の先端には、基部１８１の面外方向に向けて突出するばね掛け部１８６が設けられている。このばね掛け部１８６には、ばね掛け溝１８６Ａが設けられている。また、第２立設部１８４には、基部１８１の面方向に略沿って、回動軸１８５から離れる方向に延出する長方形板状の延出部１８７が設けられている。
さらに、基部１８１の第１立設部１８２側の側縁には、面外方向に略長方形板状に延出するシャッタ連結部１８８が設けられている。このシャッタ連結部１８８の先端には、面外方向に突出する２個の爪部１８９が設けられている。
【００３１】
そして、シャッタアーム１８０は、回動軸１８３，１８５がベースプレート１１０の第７立設部１１７の図示しない軸孔、第６立設部１１６の軸孔１１６Ａに係合されて、ベースプレート１１０に対して回動可能に設けられる。また、シャッタアーム１８０の爪部１８９は、シャッタ１７０の係合孔１７３Ａに係合される。これにより、シャッタアーム１８０が回動して、爪部１８９がベースプレート１１０から離れる方向に移動すると、シャッタ１７０は、第４，第５立設部１１４，１１５およびシャッタ案内部１１４Ａ，１１５Ａにより規制されつつ、同一方向に移動する。
また、ばね掛け溝１８６Ａおよびベースプレート１１０のばね掛け溝１１８Ａには、シャッタばね１９０が架け渡されている。このシャッタばね１９０により、シャッタアーム１８０は、シャッタ１７０をベースプレート１１０から離す方向、つまりシャッタ１７０をカバー１００のディスク挿通孔１０２Ａを略閉塞するシャッタ閉状態にする方向に回動するように付勢される。なお、シャッタアーム１８０をベースプレート１１０の近傍に位置させ、シャッタ１７０でディスク挿通孔１０２Ａを略閉塞しない状態をシャッタ開状態と適宜称する。
【００３２】
また、ベースプレート１１０には、図２〜図５に示すように、ディスク保持装置としての昇降機構２００が設けられている。この昇降機構２００は、例えば長方形の金属板が略コ字状に折曲形成された第一部材としての第１シフトアーム２１０と、この第１シフトアーム２１０と略同一形状の第二部材としての第２シフトアーム２２０と、を備えている。
【００３３】
第１シフトアーム２１０は、第一アーム基部としてのアーム基部２１１と、第一アーム部としてのアーム上部２１２と、第一アーム部としてのアーム下部２１３と、にて、略コ字状に形成されている。
アーム基部２１１は、長方形板状に形成され、長手方向両端側には、略コ字状の開口側に突出する状態で折曲形成された載置部２１１Ａがそれぞれ設けられている。また、アーム基部２１１の長手方向略中央には、略棒状の昇降ピン２１４が設けられている。この昇降ピン２１４は、略コ字状の開口と反対側に突出する状態で設けられている。そして、アーム基部２１１は、ベースプレート１１０の右側縁近傍に配置される。
アーム上部２１２は、アーム基部２１１の長手方向一端側に略垂直に折曲形成され、先端近傍には、回動軸孔２１２Ａが穿設されている。また、アーム上部２１２の基端近傍には、長手方向が前後方向と一致する長円形状の長孔２１２Ｂが穿設されている。さらに、回動軸孔２１２Ａおよび長孔２１２Ｂの略中間位置には、連結軸孔２１２Ｃが穿設されている。そして、アーム上部２１２は、ベースプレート１１０の上側縁近傍に配置される。
アーム下部２１３は、アーム基部２１１の長手方向他端側にアーム上部２１２と同一方向に折曲形成されている。このアーム下部２１３における回動軸孔２１２Ａ、長孔２１２Ｂ、および、連結軸孔２１２Ｃに略対向する位置には、これらとそれぞれ略同一形状の回動軸孔２１３Ａ、長孔２１３Ｂ、および、連結軸孔２１３Ｃが穿設されている。そして、アーム下部２１３は、ベースプレート１１０の下側縁近傍に配置される。
そして、第１シフトアーム２１０は、回動軸孔２１２Ａおよび第３立設部１１３の軸孔１１３Ａに回動軸２３０が嵌挿され、回動軸孔２１３Ａおよび第１立設部１１１の軸孔１１１Ａに軸部材としての回動軸２３１が嵌挿されている。これら回動軸２３０および回動軸２３１により、第１シフトアーム２１０は、ベースプレート１１０に対して回動可能に設けられる。
【００３４】
第２シフトアーム２２０は、ベースプレート１１０の左側縁近傍に配置される第二アーム基部としてのアーム基部２２１と、上側縁近傍に配置される第二アーム部としてのアーム上部２２２と、下側縁近傍に配置される第二アーム部としてのアーム下部２２３と、にて、略コ字状に形成されている。
アーム基部２２１の長手方向両端側には、略コ字状の開口側に突出する状態で折曲形成された載置部２２１Ａがそれぞれ設けられている。また、アーム基部２２１の長手方向略中央には、略コ字状の開口と反対側に突出する状態で、略棒状のばね掛けピン２２４が設けられている。さらに、アーム基部２２１のアーム上部２２２側には、ばね掛けピン２２４と同一方向に突出する状態で、略棒状のシャッタ制御ピン２２５が設けられている。
アーム上部２２２の先端近傍には、回動軸孔２２２Ａが穿設されている。また、アーム上部２２２の長手方向略中央には、連結軸孔２２２Ｂが穿設されている。
アーム下部２２３における回動軸孔２２２Ａおよび連結軸孔２２２Ｂに略対向する位置には、これらとそれぞれ略同一形状の回動軸孔２２３Ａおよび連結軸孔２２３Ｂが穿設されている。
【００３５】
そして、第２シフトアーム２２０は、回動軸孔２２２Ａ、第１シフトアーム２１０の長孔２１２Ｂ、および、第２立設部１１２の長軸孔１１２Ａに軸部材としての回動軸２３２が嵌挿され、回動軸孔２２３Ａ、第１シフトアーム２１０の長孔２１３Ｂ、および、第１立設部１１１の長軸孔１１１Ｂに軸部材としての回動軸２３３が嵌挿されている。これら回動軸２３２および回動軸２３３により、第２シフトアーム２２０は、ベースプレート１１０に対して回動可能に設けられる。また、第２シフトアーム２２０のシャッタ制御ピン２２５は、シャッタアーム１８０の延出部１８７をベースプレート１１０側に押圧可能な状態に位置する。
さらに、第１，第２シフトアーム２１０，２２０の連結軸孔２１２Ｃ，２２２Ｂには、連結軸２３４が嵌挿され、連結軸孔２１３Ｃ，２２３Ｂには、連結軸２３５が嵌挿される。これら連結軸２３４，２３５による連結により、第２シフトアーム２２０は、第１シフトアーム２１０に連動して動作する。
【００３６】
具体的には、第１シフトアーム２１０のアーム基部２１１がベースプレート１１０から離れる方向に移動すると、第２シフトアーム２２０のアーム基部２２１も同一方向に移動する。
また、第１，第２シフトアーム２１０，２２０は、アーム上部２１２，２２２、アーム下部２１３，２２３の長手方向略中央で連結軸２３４，２３５により連結されている。このため、アーム基部２１１，２２１の移動量は、略等しくなる。
さらに、長孔２１２Ｂ，２１３Ｂに、回動軸２３２，２３３が挿通されているので、これら長孔２１２Ｂ，２１３Ｂおよび回動軸２３２，２３３の接触により、アーム基部２１１，２２１の移動は、規制される。
そして、ばね掛けピン２２４およびばね掛け孔１２０には、シフトばね２３６が架け渡されている。このシフトばね２３６により、第２シフトアーム２２０は、ベースプレート１１０に近づく方向に付勢される。
【００３７】
また、ベースプレート１１０に設けられたカムガイド１４０には、図２〜４、図７に示すように、駆動手段を構成するスライドカム２４０がベースプレート１１０の上下方向に沿って移動可能に設けられている。
このスライドカム２４０は、樹脂材料により長手方向の長さがカムガイド１４０よりも短い長方形板状に形成され、カムガイド１４０のガイド部１４３に移動可能に係合されるカム基部２４１を備えている。
カム基部２４１の一面における左側縁側には、面方向がカム基部２４１の面方向と直交し、かつ、長手方向がカム基部２４１の長手方向と一致する略長方形板状に形成されたカム立設部２４２が一体的に設けられている。
【００３８】
このカム立設部２４２には、図７に示すように、昇降機構２００の昇降ピン２１４が係合される昇降制御スリット２４３が設けられている。
この昇降制御スリット２４３は、第１昇降スリット２４３Ａと、第２昇降スリット２４３Ｂと、第３昇降スリット２４３Ｃと、第４昇降スリット２４３Ｄと、第５昇降スリット２４３Ｅと、を備えている。
第１昇降スリット２４３Ａは、カム基部２４１の長手方向に沿った直線状に形成されている。
第２昇降スリット２４３Ｂは、第１昇降状態スリット２４３Ａの一端に連続し、カム基部２４１から離れる方向に延びる円弧状に形成されている。
第３昇降スリット２４３Ｃは、第２昇降スリット２４３Ｂの一端に連続し、カム基部２４１から離れる方向に延びる円弧状に形成されている。
第４昇降スリット２４３Ｄは、第３昇降スリット２４３Ｃの一端に連続し、カム基部２４１に近づく方向に延びる円弧状に形成されている。
第５昇降スリット２４３Ｅは、第４昇降スリット２４３Ｄの一端に連続し、カム基部２４１の長手方向に沿った直線状に形成されている。
また、第１昇降スリット２４３Ａは、第５昇降スリット２４３Ｅよりもカム基部２４１側に設けられている。さらに、第２昇降スリット２４３Ｂおよび第３昇降スリット２４３Ｃの接続部分と、第５昇降スリット２４３Ｅと、は、カム立設部２４２の立設方向の位置が略等しい位置に設定されている。
【００３９】
また、カム立設部２４２の先端には、面方向がカム立設部２４２の面方向と直交し、かつ、長手方向がカム立設部２４２の長手方向と一致する略長方形板状に形成されたカム先端部２４４が一体的に設けられている。このカム先端部２４４の下側縁側の端面は、第１カムスイッチ当接部２４４Ａとされている。
このカム先端部２４４のカム立設部２４２と反対側の面には、図２に示すように、保持制御溝２４５が設けられている。
この保持制御溝２４５は、第１保持溝２４５Ａと、第２保持溝２４５Ｂと、第３保持溝２４５Ｃと、を備えている。
第１保持溝２４５Ａは、カム先端部２４４の長手方向に沿った直線状に形成されている。
第２保持溝２４５Ｂは、第１保持溝２４５Ａの下側縁側の端部に連続し、右側縁側に延びる直線状に形成されている。
第３保持溝２４５Ｃは、第１保持溝２４５Ａの上側縁側の端部に連続し左側縁側に向けて延びる直線状に形成されている。
【００４０】
さらに、カム基部２４１の一面における右側縁側には、この一面と直交する方向に突出するカム突出部２４６が設けられている。このカム突出部２４６は、上側縁側の端部がカム立設部２４２の上側縁側の端部よりも下側縁側に位置する状態で設けられている。そして、このカム突出部２４６の側面は、第２カムスイッチ当接部２４６Ａとされている。
また、カム突出部２４６の一面には、カム基部２４１の長手方向に沿ってラック２４７が設けられている。
【００４１】
また、ベースプレート１１０における右側縁側には、図２、図４、図６に示すように、カムガイド１４０に隣接して駆動手段を構成する駆動機構２５０が設けられている。この駆動機構２５０は、モータユニット２６０と、伝達部２８０と、を備えている。
【００４２】
モータユニット２６０は、モータ２６１を備えている。このモータ２６１の図示しないモータ軸には、図２および図６に示すように、ウォームギア２６２が設けられている。
また、モータ２６１には、ユニット取付部材２６３が設けられている。
ユニット取付部材２６３は、モータ２６１の図示しないモータ軸が突出する面に取り付けられるモータ対向部２６４を備えている。このモータ対向部２６４の一側縁には、モータ２６１から離れる方向に略垂直に折曲形成された長方形板状の取付部２６５が設けられている。
この取付部２６５には、ベースプレート１１０の第９立設部１１９の第１切欠部１１９Ａ、第２切欠部１１９Ｂ、および、第３切欠部１１９Ｃに対応する位置に、それぞれ図示しない、第１固定孔、第２固定孔、および、第３固定孔がそれぞれ設けられている。また、取付部２６５のウォームギア２６２側には、第９立設部１１９の第１軸孔１１９Ｅに対応する位置に設けられたギア軸２６６に回転可能に軸支されたユニットギア２６７が設けられている。このユニットギア２６７は、ウォームギア２６２に噛合された大径ギア２６７Ａと、この大径ギア２６７Ａの取付部２６５側に設けられた小径ギア２６７Ｂと、を備えている。
そして、モータユニット２６０は、取付部２６５の第１固定孔、第２固定孔、第３固定孔、第１切欠部１１９Ａ、第２切欠部１１９Ｂ、第３切欠部１１９Ｃに嵌挿された図示しない棒状の固定部材により、ゴムブッシュ２６８を介して、第９立設部１１９に取り付けられる。
【００４３】
伝達部２８０は、第１伝達ギア２８１と、第２伝達ギア２８２と、第３伝達ギア２８３と、を備えている。
第１伝達ギア２８１は、ユニットギア２６７の小径ギア２６７Ｂに噛合された大径ギア２８１Ａと、この大径ギア２８１Ａの第９立設部１１９と反対側に設けられた小径ギア２８１Ｂと、を備えている。そして、第１伝達ギア２８１は、第９立設部１１９の第２軸孔１１９Ｆに嵌挿されたギア軸２８４に回転可能に軸支されている。
第２伝達ギア２８２は、第１伝達ギア２８１の小径ギア２８１Ｂに噛合された大径ギア２８２Ａと、この大径ギア２８２Ａの第９立設部１１９と反対側に設けられた小径ギア２８２Ｂと、を備えている。そして、第２伝達ギア２８２は、第３軸孔１１９Ｇに嵌挿されたギア軸２８５に回転可能に軸支されている。
第３伝達ギア２８３は、第２伝達ギア２８２の小径ギア２８２Ｂに噛合された大径ギア２８３Ａと、この大径ギア２８３Ａの第９立設部１１９と反対側に設けられスライドカム２４０のラック２４７に噛合される小径ギア２８３Ｂと、を備えている。そして、第３伝達ギア２８３は、ギア軸２８４に回転可能に軸支されている。
【００４４】
昇降機構２００には、図２〜図５に示すように、ディスク保持部材としてのディスク情報処理部３００が設けられている。このディスク情報処理部３００は、例えば金属板により四隅が切り欠かれた略矩形板状に形成された台座３１０を備えている。
この台座３１０の四隅には、台座３１０の面外方向に延出する台座取付部３１１がそれぞれ設けられている。これら台座取付部３１１の先端には、リング状の弾性部材としてのゴムブッシュ３１２が設けられている。そして、台座３１０は、台座取付部３１１がゴムブッシュ３１２を介して第１，第２シフトアーム２１０，２２０の載置部２１１Ａ，２２１Ａに載置されている。また、台座３１０は、台座取付部３１１、載置部２１１Ａ，２２１Ａに嵌挿された図示しない棒状の固定部材により、昇降機構２００に取り付けられる。
【００４５】
また、台座３１０には、長手方向の一端近傍に位置して、ディスク回転駆動手段３２０が配設されている。このディスク回転駆動手段３２０は、スピンドルモータである図示しない回転用電動モータと、この回転用電動モータの図示しない出力軸に一体的に設けられた保持部としてのターンテーブル３２１と、を備えている。このターンテーブル３２１は、ベースプレート１１０から離れる方向に突出する突出部３２１Ａと、この突出部３２１Ａの周縁から径方向に延出するフランジ３２１Ｂとを備えている。突出部３２１Ａは、光ディスクＤの孔部と略同一径寸法の略円柱状に形成されている。そして、突出部３２１Ａには、光ディスクＤをターンテーブル３２１に保持する際に、光ディスクＤの孔部が係合される。また、フランジ部３２１Ｂは、光ディスクＤの孔部が突出部３２１Ａに係合された状態で、光ディスクＤの孔部周縁近傍が載置される。
【００４６】
また、台座３１０には、処理移動手段３３０が配設されている。この処理移動手段３３０は、台座３１０に配設された一対のガイドレール３３１と、例えばステッピングモータである移動用電動モータ３３２と、を備えている。
移動用電動モータ３３２には、螺旋状の係合溝３３３Ａが外周面に設けられたリードスクリュ３３３が、ガイドレール３３１と略平行に配設されている。
【００４７】
さらに、台座３１０には、処理移動手段３３０に支持された情報処理部３４０が配設されている。この情報処理部３４０は、一対のガイドレール３３１間に架橋する状態で保持される移動保持部３４１を備えている。この移動保持部３４１には、ガイドレール３３１に移動可能に係合される係合部３４２と、リードスクリュ３３３の係合溝３３３Ａに係合する爪部３４３と、が設けられている。
また、移動保持部３４１には、光ディスクＤの記録面に記録された各種情報を読み取って出力回路部へ出力する読取処理や、各種情報を記録面に記録する記録処理を実施するための光ピックアップ３４４が配設されている。
【００４８】
また、ベースプレート１１０のシャーシ支持部１１９Ｄ、シャーシ支持棒１３１などには、図８に示すように、ベースプレート１１０と略等しい略Ｄ字板状の筐体を構成するローディングシャーシ３６０が載置される状態で取り付けられている。ここで、ローディングシャーシ３６０に対してベースプレート１１０に対向する側をベース対向側（図８における紙面の奥側）と、ベースプレート１１０と対向しない側をベース非対向側（図８における紙面の手前側）と、それぞれ適宜称して説明する。そして、ベースプレート１１０とローディングシャーシ３６０との間で、ディスク挿通孔１０２Ａを通ってベースプレート１１０に略平行する領域が本発明の収納空間を構成する。
【００４９】
ローディングシャーシ３６０の下側縁近傍には、ベース非対向側に突出する連結軸３６１が設けられている。
また、ローディングシャーシ３６０の上下方向略中央における若干右側縁側には、ベース対向側に突出する右ガイド軸３６２が設けられている。この右ガイド軸３６２の右側縁側には、ベース対向側に突出するイジェクトサブ軸３６３が設けられている。右ガイド軸３６２の上側縁側には、ベース非対向側に突出するイジェクト軸３６４が設けられている。
さらに、ローディングシャーシ３６０の上下方向略中央における左側縁側には、ベース対向側に突出する左ガイドサブ軸３６５が設けられている。この左ガイドサブ軸３６５の上側縁側には、ベース非対向側に突出する左ガイド軸３６６が設けられている。
【００５０】
また、イジェクトサブ軸３６３の下側縁側には、連結軸３６１を中心とした円弧状の連結スリット３７１が設けられている。さらに、イジェクト軸３６４の上側縁側には、右ガイド軸３６２を中心とした円弧状の右ガイドスリット３７２が設けられている。
そして、イジェクトサブ軸３６３およびイジェクト軸３６４の間には、イジェクトサブ軸３６３を中心とした円弧状の第１イジェクトサブスリット３７３が設けられている。
また、イジェクトサブ軸３６３の右側縁側には、イジェクトサブ軸３６３を中心とした円弧状の第２イジェクトサブスリット３７４が設けられている。
【００５１】
さらに、右ガイド軸３６２および右ガイドスリット３７２の間には、イジェクト軸３６４を中心とした円弧状の第１イジェクトスリット３７５が設けられている。また、右ガイドスリット３７２の右側縁側には、イジェクト軸３６４を中心とした円弧状の第２イジェクトスリット３７６が設けられている。そして、連結軸３６１の上側縁側には、イジェクト軸３６４を中心とした第３イジェクトスリット３７７が設けられている。
また、左ガイドサブ軸３６５および左ガイド軸３６６の間には、左ガイドサブ軸３６５を中心とした円弧状の左ガイドサブスリット３７８が設けられている。そして、左ガイドサブ軸３６５および左ガイドサブスリット３７８の間には、左ガイド軸３６６を中心とした円弧状の左ガイドスリット３７９が設けられている。
【００５２】
また、連結軸３６１の左側縁側には、舌片状に切り起こし形成された第１舌片部３８０が設けられている。この第１舌片部３８０における連結軸３６１側には、略半円状に切り欠き形成された第１ばね掛け溝３８０Ａが設けられている。
また、右ガイド軸３６２の左側縁側には、第１舌片部３８０と略等しい形状に形成され、下側縁側に第２ばね掛け溝３８１Ａを有する第２舌片部３８１が設けられている。
そして、この左ガイドスリット３７９の下側縁側には、第１舌片部３８０と略等しい形状に形成され、左側縁側に第３ばね掛け溝３８２Ａを有する第３舌片部３８２が設けられている。
【００５３】
さらに、ローディングシャーシ３６０の右側縁側には、ベース対向側に突出する状態に切り起こし形成された６個のガイド部３８３が設けられている。これらガイド部３８３は、スライドカム２４０のカム先端部２４４の両側縁に沿って３個ずつ設けられ、カムガイド１４０とともにスライドカム２４０をガイドする。
また、ローディングシャーシ３６０の上下方向略中央における若干左側縁側には、円形状の開口部３８４が開口形成されている。この開口部３８４は、プレス成形によりベースプレート１１０側に若干突出する形状に形成されている。
【００５４】
また、ローディングシャーシ３６０には、光ディスクＤを保持する搬送装置を構成するディスク保持機構４００が設けられている。このディスク保持機構４００は、左ガイドアーム４１０と、左ガイドサブアーム４２０と、連結アーム４３０と、イジェクトアーム４４０と、右ガイドアーム４６０と、イジェクトサブアーム４８０と、を備えている。
【００５５】
左ガイドアーム４１０は、例えば金属板により平面視で屈曲した板状に形成され、ベース非対向側に設けられたアーム部材４１１を備えている。このアーム部材４１１は、一端側が左ガイド軸３６６に軸支され、この左ガイド軸３６６を中心に回動可能に設けられている。また、アーム部材４１１の他端側には、ベース対向側に突出し、左ガイドスリット３７９に係合する左ガイドピン４１２が設けられている。そして、この左ガイドピン４１２には、ローディングシャーシ３６０のベース対向側に位置する状態で、略円柱状のガイド部材としての左ガイドローラ４１３が回動可能に設けられている。
この左ガイドローラ４１３は、左ガイドピン４１２の基端側に設けられた略円板状のローラ基部４１３Ａ（図９参照）と、このローラ基部４１３Ａの一面に設けられローラ基部４１３Ａよりも直径が小さい円柱状のローラ中間部４１３Ｂ（図９参照）と、このローラ中間部４１３Ｂの一面に設けられ左ガイドピン４１２の先端側にしたがって拡径する円錐台柱状のローラ先端部４１３Ｃ（図９参照）と、を備えている。そして、この左ガイドローラのローラ中間部４１３Ｂには、光ディスクＤの側面が当接される。すなわち、左ガイドローラ４１３は、軸方向の中間部に、光ディスクＤの周面が係合可能に径小に形成されている。
さらに、アーム部材４１１の長さ方向略中央には、一端側から他端側にかけて、左ガイドアームスリット４１４が設けられている。この左ガイドアームスリット４１４は、アーム部材４１１が回動する際に、その一部が常に左ガイドサブスリット３７８と重畳する形状に形成されている。具体的には、左ガイドアームスリット４１４は、一端側に設けられアーム部材４１１と反対の屈曲状態の略円弧状に形成された第１左保持スリット４１４Ａと、この第１左保持スリット４１４Ａと略等しい屈曲状態の略円弧状に形成された第２左保持スリット４１４Ｂと、左ガイドピン４１２に近づく方向に延びる略直線状の第３左保持スリット４１４Ｃと、を備えている。
【００５６】
左ガイドサブアーム４２０は、例えば金属板により略長方形板状に形成され、ベース非対向側に設けられたアーム部材４２１を備えている。このアーム部材４２１は、一端側が左ガイドサブ軸３６５に軸支され、この左ガイドサブ軸３６５を中心に回動可能に設けられている。また、アーム部材４２１は、他端側が左ガイドアーム４１０のアーム部材４１１のベース非対向側に位置する状態で設けられている。さらに、アーム部材４２１の他端側には、ベース対向側に突出し、左ガイドアームスリット４１４を介して左ガイドサブスリット３７８に係合する左ガイドサブピン４２２が設けられている。この左ガイドサブピン４２２および左ガイドアームスリット４１４の係合により、アーム部材４２１は、アーム部材４１１の回動に連動して適宜回動する。また、左ガイドサブピン４２２および左ガイドサブスリット３７８の係合により、アーム部材４２１の回動が規制される。
さらに、アーム部材４２１の一端側には、面方向外側に向けて舌片状に突出し、ばね掛け溝４２３Ａを有する舌片部４２３が一体的に形成されている。そして、このばね掛け溝４２３Ａおよびローディングシャーシ３６０の第３ばね掛け溝３８２Ａには、左ガイドばね４２４が架け渡されている。この左ガイドばね４２４により、アーム部材４２１は、時計回りに回動するように、つまり左ガイドアーム４１０を反時計回りに回動するように付勢される。また、左ガイドばね４２４は、比較的弱い弾性力を有している。具体的には、光ディスクＤが挿入されて左ガイドアーム４１０に光ディスクＤが当接した際に、左ガイドアーム４１０が、光ディスクＤの重みで左ガイドばね４２４の付勢力に抗して時計回りに回動する弾性力を有している。
【００５７】
また、アーム部材４２１における舌片部４２３の右側縁側には、略長方形板状の回動伝達部４２５が一体的に設けられている。この回動伝達部４２５は、長手方向の一端側がアーム部材４２１に連続する状態で設けられている。また、回動伝達部４２５の長手方向の他端側の側面には、平面視で円弧状の第１連結ピン当接部４２５Ａが形成されている。さらに、この第１連結ピン当接部４２５Ａの左側縁側には、アーム部材４２１側に向けて略長円状に切り欠かれた連結ピン係合溝４２５Ｂが設けられている。そして、この連結ピン係合溝４２５Ｂの左側縁側には、下側縁側に向かうにしたがって左側縁側に近づく状態に傾斜する回動阻止部４２５Ｃが設けられている。
また、回動伝達部４２５の右側縁側には、ベース非対向側に向けて略垂直に折曲形成された左サブスイッチ当接部４２６が一体的に設けられている。この左サブスイッチ当接部４２６は、平面視で略Ｌ字状に形成されている。
【００５８】
連結アーム４３０は、例えば金属板により平面視で屈曲した板状に形成され、ベース非対向側に設けられたアーム部材４３１を備えている。このアーム部材４３１は、屈曲した部分が連結軸３６１に軸支され、この連結軸３６１を中心に回動可能に設けられている。また、アーム部材４３１は、一端側が左ガイドサブアーム４２０の回動伝達部４２５のベース対向側に位置する状態で設けられている。
アーム部材４３１の一端側には、ベース非対向側に突出する第１連結ピン４３２が設けられている。この第１連結ピン４３２は、回動伝達部４２５の第１連結ピン当接部４２５Ａに適宜当接される。また、第１連結ピン４３２は、回動伝達部４２５の連結ピン係合溝４２５Ｂに適宜係合される。この第１連結ピン４３２が、第１連結ピン当接部４２５Ａに当接すると、アーム部材４３１は回動できない。しかし、第１連結ピン４３２は連結ピン係合溝４２５Ｂとは係合可能で、係合可能な状態でアーム部材４２１が回動し、第１連結ピン４３２が連結ピン係合溝４２５Ｂと係合するとアーム部材４３１は反時計回りに回動する。
さらに、アーム部材４３１の一端側近傍には、下側縁側に向けて舌片状に突出し、ばね掛け溝４３３Ａを有する舌片部４３３が一体的に形成されている。そして、このばね掛け溝４３３Ａおよびローディングシャーシ３６０の第１ばね掛け溝３８０Ａには、連結ばね４３４が架け渡されている。この連結ばね４３４により、アーム部材４３１は、反時計回りに回動するように付勢される。
また、アーム部材４３１の他端側には、ベース対向側に突出し、連結スリット３７１に係合する第２連結ピン４３５が設けられている。この第２連結ピン４３５および連結スリット３７１の係合により、アーム部材４３１の回動が規制される。
【００５９】
イジェクトアーム４４０は、例えば金属板により平面視で略コ字状の部分および円弧状の部分を有する板状に形成され、ベース非対向側に設けられたアーム部材４４１を備えている。
具体的には、アーム部材４４１は、アーム基端部４４２と、アーム基端側部４４３と、アーム先端側部４４４と、アーム先端部４４５と、を有し、略コ字状の部分および円弧状の部分を有する板状に形成されている。
アーム基端部４４２は、略長方形板状に形成され長手方向略中央がイジェクト軸３６４に軸支されている。
アーム基端側部４４３は、アーム基端部４４２に連続し長手方向がアーム基端部４４２の長手方向と略直交する略長方形板状に形成されている。
アーム先端側部４４４は、アーム基端側部４４３に連続しアーム基端部４４２と略対向する略長方形板状に形成されている。
アーム先端部４４５は、アーム先端側部４４４に連続する円弧板状に形成されている。
また、アーム部材４４１は、イジェクト軸３６４を中心に回動可能に設けられている。さらに、アーム部材４４１は、連結アーム４３０のアーム部材４３１のベース対向側に位置する状態で設けられている。
【００６０】
アーム基端部４４２の長手方向一端側には、ベース対向側に向けて折曲形成され、第２イジェクトスリット３７６に係合するイジェクト爪部４４６が設けられている。このイジェクト爪部４４６および第２イジェクトスリット３７６の係合により、アーム部材４４１の回動が規制される。また、イジェクト爪部４４６には、図示しないばね掛け溝が設けられている。
アーム基端部４４２の長手方向他端側には、ベース対向側に突出し、第１イジェクトスリット３７５に係合する第１イジェクトピン４４７が設けられている。また、アーム基端部４４２の長手方向他端側には、第１イジェクトピン４４７と同軸位置でベース非対向側に突出する第２のガイド制御手段を構成する第２イジェクトピン４４８が設けられている。
アーム基端部４４２およびアーム基端側部４４３の連結部分における左側縁側の側面には、平面視で直線状のイジェクトサブピン当接部４４３Ａが形成されている。
また、アーム先端側部４４４およびアーム先端部４４５の連結部分における下側縁側の側面には、平面視で頂点が下側縁側に位置する三角形状の第２連結ピン当接部４４５Ａが形成されている。この第２連結ピン当接部４４５Ａは、アーム先端側部４４４側に設けられた第１当接部４４５Ａ１と、アーム先端部４４５側に設けられた第２当接部４４５Ａ２と、を備えている。そして、第２連結ピン当接部４４５Ａには、連結アーム４３０の第２連結ピン４３５が適宜当接される。
さらに、アーム先端部４４５の先端側には、ベース対向側に突出し、第３イジェクトスリット３７７に係合する第３イジェクトピン４５０が設けられている。そして、この第３イジェクトピン４５０には、ローディングシャーシ３６０のベース対向側に位置する状態で、左ガイドローラ４１３と略同一形状に形成されたイジェクトローラ４５１が回動可能に設けられている。つまり、イジェクトローラ４５１は、それぞれ図示しない、ローラ基部、ローラ中間部、および、ローラ先端部を有している。
【００６１】
右ガイドアーム４６０は、例えば金属板により平面視で屈曲した部分を複数有する板状に形成され、ベース非対向側に設けられたアーム部材４６１を備えている。
具体的には、アーム部材４６１は、アーム基端部４６２と、アーム基端側部４６３と、アーム先端側部４６４と、アーム先端部４６５と、を有し、屈曲した部分を複数有する板状に形成されている。
アーム基端部４６２は、長手方向一端側が右ガイド軸３６２に軸支された略長方形板状に生成されている。
アーム基端側部４６３は、略台形板状に形成されその短辺側がアーム基端部４６２に連続されている。
アーム先端側部４６４は、アーム基端側部４６３の長辺側から突出する方向に延設されている。
アーム先端部４６５は、アーム先端側部４６４からアーム先端側部４６４の突出方向と交差する方向に延設されている。
また、アーム部材４６１は、右ガイド軸３６２を中心に回動可能に設けられている。さらに、アーム部材４６１は、イジェクトアーム４４０のアーム部材４４１のベース非対向側に位置する状態で設けられている。
【００６２】
アーム基端側部４６３およびアーム先端側部４６４には、アーム先端側部４６４の略中央、アーム基端側部４６３の長辺の一端側および他端側を結ぶ形状の第２のガイド制御手段を構成する右ガイドアームスリット４６６が設けられている。
具体的には、右ガイドアームスリット４６６は、第１右保持スリット４６６Ａと、第２右保持スリット４６６Ｂと、第３右保持スリット４６６Ｃと、を備えている。
第１右保持スリット４６６Ａは、アーム先端側部４６４の略中央からアーム基端側部４６３の一端側にかけて設けられている。
第２右保持スリット４６６Ｂは、アーム基端側部４６３の一端側から他端側にかけて設けられている。
第３右保持スリット４６６Ｃは、アーム基端側部４６３の他端側から短辺側にかけて設けられている。
この右ガイドアームスリット４６６には、第２イジェクトピン４４８が係合される。そして、この右ガイドアームスリット４６６および第２イジェクトピン４４８の係合により、アーム部材４６１は、アーム部材４４１の回動に連動して適宜回動する。
すなわち、第１右保持スリット４６６Ａは、右ガイドアーム４６０の後述する右ガイドローラ４７１が挿入される光ディスクＤの周縁部に当接してガイドしている状態で、イジェクトアーム４４０の一端部となるイジェクトローラ４５１側がディスク挿通孔１０２Ａから離間する方向に回動可能に形成されている。また、第２右保持スリット４６６Ｂは、右ガイドアーム４６０の一端部となる右ガイドローラ４７１側が光ディスクＤをカバー１００内に送り込む状態に回動しつつ、イジェクトアーム４４０の一端部となるイジェクトローラ４５１側がディスク挿通孔１０２Ａから離間する方向に回動可能に形成されている。
【００６３】
また、アーム先端側部４６４には、面外方向に向けて突出し、ばね掛け溝４６７Ａを有する舌片部４６７が一体的に形成されている。そして、このばね掛け溝４６７Ａおよびローディングシャーシ３６０の第２ばね掛け溝３８１Ａには、右ガイドばね４６８が架け渡されている。この右ガイドばね４６８により、アーム部材４６１は、反時計回りに回動するように付勢される。
また、アーム先端部４６５の上側縁側には、ベース非対向側に向けて略垂直に折曲形成された右スイッチ当接部４６９が一体的に設けられている。この右スイッチ当接部４６９は、平面視で略Ｌ字状に形成されている。さらに、アーム先端部４６５の先端側には、ベース対向側に突出し、右ガイドスリット３７２に係合する右ガイドピン４７０が設けられている。そして、この右ガイドピン４７０には、ローディングシャーシ３６０のベース対向側に位置する状態で、ローラ基部４７１Ａ（図９参照）、ローラ中間部４７１Ｂ（図９参照）、および、ローラ先端部４７１Ｃ（図９参照）を有する右ガイドローラ４７１が回動可能に設けられている。
【００６４】
イジェクトサブアーム４８０は、金属により平面視で略三角形の板状に形成され、ベース対向側に設けられたアーム部材４８１を備えている。
このアーム部材４８１は、略中央がイジェクトサブ軸３６３に軸支され、このイジェクトサブ軸３６３を中心に回動可能に設けられている。
【００６５】
アーム部材４８１の第１の隅部には、ベース非対向側に向けて突出し、第１イジェクトサブスリット３７３に係合するとともに、イジェクトサブピン当接部４４３Ａに適宜当接する第１イジェクトサブピン４８２が設けられている。さらに、アーム部材４８１の第２の隅部には、ベース非対向側に向けて突出し、第２イジェクトサブスリット３７４に係合する第２イジェクトサブピン４８３が設けられている。また、この第２の隅部には、第２イジェクトサブピン４８３と一体的に形成され、この第２イジェクトサブピン４８３と同軸位置でベース対向側に突出する第３イジェクトサブピン４８４が設けられている。この第３イジェクトサブピン４８４は、スライドカム２４０の保持制御溝２４５に係合している。この第３イジェクトサブピン４８４および保持制御溝２４５の係合により、アーム部材４８１は、スライドカム２４０の移動に連動して適宜回動する。
さらに、アーム部材４８１の第３の隅部には、ベース対向側に向けて折曲形成され、図示しないばね掛け溝が設けられたイジェクトサブ爪部４８５が設けられている。そして、イジェクトサブ爪部４８５およびイジェクト爪部４４６には、イジェクトばね４８６が架け渡されている。このイジェクトばね４８６により、アーム部材４４１は、時計回りに回動するように付勢される。また、イジェクトばね４８６は、右ガイドばね４６８よりも大きい弾性力を有している。
【００６６】
また、ベースプレート１１０およびローディングシャーシ３６０には、挿排検出部５００が設けられている。この挿排検出部５００は、左アーム検出スイッチ５１０と、右アーム検出スイッチ５２０と、下側カム検出スイッチ５３０と、中間カム検出スイッチ５４０と、上側カム検出スイッチ５５０と、を備えている。
【００６７】
左アーム検出スイッチ５１０は、ローディングシャーシ３６０のベース非対向側の面における左ガイドサブアーム４２０の近傍に設けられている。この左アーム検出スイッチ５１０は、薄四角箱状のスイッチ基体５１１と、このスイッチ基体５１１の一側面に対して進退する状態で設けられた進退部材５１２と、を備えている。そして、進退部材５１２および左サブスイッチ当接部４２６の当接により、左ガイドサブアーム４２０の回動状態に伴う光ディスクＤの挿排状態を検出し、その旨の信号を制御回路部へ適宜出力する。
右アーム検出スイッチ５２０は、ローディングシャーシ３６０のベース非対向側の面における右ガイドアーム４６０の近傍に設けられている。この右アーム検出スイッチ５２０は、スイッチ基体５２１の一側面に対して進退する進退部材５２２と、右スイッチ当接部４６９と、の当接により、右ガイドアーム４６０の回動状態に伴う光ディスクＤの挿排状態を検出し、その旨の信号を図示しない制御回路部へ適宜出力する。
【００６８】
下側カム検出スイッチ５３０は、ローディングシャーシ３６０のベース対向側の面における下側縁側かつ右側縁側に設けられている。この下側カム検出スイッチ５３０は、スイッチ基体５３１の一側面に対して進退する進退部材５３２と、スライドカム２４０の第１カムスイッチ当接部２４４Ａと、の当接により、スライドカム２４０が下側縁側に全ストローク移動した旨を検知することで、光ディスクＤの挿入状態からチャッキング動作を経て、記録再生状態になったことを検出し、その旨の信号を図示しない制御回路部へ適宜出力する。
中間カム検出スイッチ５４０は、図７に示すように、ベースプレート１１０に設けられたカムガイド１４０のスイッチ配置部１４６に設けられている。この中間カム検出スイッチ５４０は、スイッチ基体５４１の一側面に対して進退する進退部材５４２と、スライドカム２４０の第２カムスイッチ当接部２４６Ａと、の当接により、スライドカム２４０の移動状態に伴う光ディスクＤの挿排状態を検出し、その旨の信号を図示しない制御回路部へ適宜出力する。
上側カム検出スイッチ５５０は、スイッチ配置部１４６における中間カム検出スイッチ５４０の上側縁側に設けられている。この上側カム検出スイッチ５５０は、スイッチ基体５５１の一側面に対して進退する進退部材５５２と、第２カムスイッチ当接部２４６Ａと、の当接により、スライドカム２４０の移動状態に伴う光ディスクＤの挿排状態を検出し、その旨の信号を図示しない制御回路部へ適宜出力する。
なお、以下において、左アーム検出スイッチ５１０、右アーム検出スイッチ５２０、下側カム検出スイッチ５３０、上側カム検出スイッチ５５０の進退部材５１２，５２２，５３２，５５２がスイッチ基体５１１，５２１，５３１，５５１の中心方向に押し込まれている状態をオン状態、押し込まれていない状態をオフ状態と称して説明する。また、中間カム検出スイッチ５４０の進退部材５４２がスイッチ基体５４１の中心方向に押し込まれている状態をオフ状態、押し込まれていない状態をオン状態と称して説明する。
【００６９】
〔ディスクカメラレコーダの動作〕
次に、ディスクカメラレコーダ１の動作について説明する。
【００７０】
（光ディスクの挿入動作）
まず、ディスクカメラレコーダ１の動作として、光ディスクＤの挿入動作について説明する。
図９は、挿入待機状態でのディスク処理部の上側縁側を表す図である。図１０は、挿入待機状態での昇降機構の状態を表す図である。図１１は、挿入初期状態でのディスク処理部の平面図である。図１２は、挿入前半状態でのディスク処理部の平面図である。図１３は、挿入後半状態でのディスク処理部の平面図である。図１４は、センタリング状態でのディスク処理部の平面図である。図１５は、センタリング状態での昇降ピンおよびスライドカムの係合状態を表す図である。図１６は、クランプ開始状態での昇降ピンおよびスライドカムの係合状態を表す図である。図１７は、クランプ開始状態での昇降機構の状態を表す図である。図１８は、クランプ開始状態でのシャッタ機構の状態を表す図である。図１９は、チャッキング状態での昇降ピンおよびスライドカムの係合状態を表す図である。図２０は、チャッキング状態での昇降機構の状態を表す図である。図２１は、記録再生状態でのディスク処理部の平面図である。図２２は、記録再生状態での昇降ピンおよびスライドカムの係合状態を表す図である。図２３は、各スイッチのオンオフ状態と光ディスクの搬送状態（光ディスクの挿入状態）との関係を示すタイミングチャートで、（Ａ）は左アーム検出スイッチのオンオフ状態、（Ｂ）は右アーム検出スイッチのオンオフ状態、（Ｃ）は下側カム検出スイッチのオンオフ状態、（Ｄ）は中間カム検出スイッチのオンオフ状態、（Ｅ）は上側カム検出スイッチのオンオフ状態、（Ｆ）はモータの駆動状態である。
【００７１】
まず、ディスク処理部２０に光ディスクＤが挿入されていない状態において、ディスク処理部２０は、図８〜図１０に示すように、光ディスクＤの挿入を待機する挿入待機状態となっている。
具体的には、図８に示すように、左ガイドサブアーム４２０が左ガイドばね４２４の付勢により時計回りに付勢され、左ガイドサブピン４２２が第２左保持スリット４１４Ｂの円弧方向略中央に位置している。このため、左ガイドアーム４１０の左ガイドローラ４１３は、図８および図９に示すように、開口部３８４近傍、かつ、ディスク挿通孔１０２Ａに対向する位置に位置している。
また、スライドカム２４０がベースプレート１１０の上側縁側に位置し、イジェクトサブアーム４８０の第３イジェクトサブピン４８４が第２保持溝２４５Ｂの先端側に位置している。このため、イジェクトサブ爪部４８５が最も下端縁側に位置する。したがって、イジェクトアーム４４０がイジェクトばね４８６の付勢により時計回りに付勢され、イジェクトローラ４５１は、図８に示すように、開口部３８４近傍に位置している。
さらに、イジェクトアーム４４０が時計回りに付勢され、右ガイドアームスリット４６６の第１右保持スリット４６６Ａの先端に第２イジェクトピン４４８が係合している。このため、右ガイドアーム４６０は、右ガイドばね４６８の付勢力に抗して、時計回りに付勢され、かつ、反時計回りに回動不可能な位置まで回動している。したがって、右ガイドローラ４７１は、図８および図９に示すように、左ガイドローラ４１３よりもディスク挿通孔１０２Ａ側、かつ、ディスク挿通孔１０２Ａに対向する位置に位置している。
【００７２】
また、スライドカム２４０がベースプレート１１０の上側縁側に位置している。このため、昇降機構２００の昇降ピン２１４は、図７に示すように、第１昇降スリット２４３Ａの左端側に位置している。したがって、第１，第２シフトアーム２１０，２２０は、図１０に示すように、ベースプレート１１０に最も近接した位置に位置している。そして、第１，第２シフトアーム２１０，２２０に取り付けられたディスク情報処理部３００のターンテーブル３２１などもベースプレート１１０に近接した位置に位置し、光ディスクＤの挿排動作用の空間が確保される。
さらに、第２シフトアーム２２０が最も近接した位置に位置し、シャッタ制御ピン２２５および延出部１８７が当接している。このため、シャッタアーム１８０は、図５に示すように、シャッタばね１９０の付勢力に抗して、シャッタ１７０をベースプレート１１０近傍に位置させる状態に回動している。したがって、シャッタ機構１６０は、シャッタ開状態となっている。
また、図２３（Ａ），（Ｂ）に示すように、左アーム検出スイッチ５１０、および、右アーム検出スイッチ５２０は、オフ状態となっている。さらに、スライドカム２４０が上側縁側に位置している。このため、図２３（Ｃ），（Ｄ），（Ｅ）に示すように、下側カム検出スイッチ５３０は、スライドカム２４０に当接していないオフ状態となり、中間カム検出スイッチ５４０は、スライドカム２４０に当接したオフ状態となり、上側カム検出スイッチ５５０は、スライドカム２４０に当接したオン状態となっている。
【００７３】
そして、この挿入待機状態から光ディスクＤがディスク挿通孔１０２Ａを介して挿入されると、光ディスクＤは、まず、左ガイドローラ４１３に当接し、次に、右ガイドローラ４７１に当接して、図１１に示すような挿入初期状態となる。
具体的には、左ガイドローラ４１３が光ディスクＤにより押されて、左ガイドアーム４１０が時計回りに回動する。そして、この左ガイドアーム４１０の回動に伴い、第２左保持スリット４１４Ｂが、第１左保持スリット４１４Ａの端部に向けて左ガイドサブピン４２２を若干移動させる。
このとき、左ガイドばね４２４が上述したような比較的弱い弾性力を有しているため、光ディスクＤは、比較的弱い挿入力であっても、挿入初期状態まで挿入される。また、利用者が光ディスクＤから手を離した場合でも、光ディスクＤの重みにより、左ガイドばね４２４の付勢により左ガイドアーム４１０が反時計回りに回動することがなく、挿入初期状態が維持される。さらに、右ガイドアーム４６０が時計回りに付勢され、右ガイドローラ４７１による光ディスクＤの中心方向への付勢力が働かないため、利用者が光ディスクＤから手を離した場合でも、光ディスクＤが外部に飛び出すことがなく、挿入初期状態が維持される。
【００７４】
この後、さらに光ディスクＤが挿入されると、図１２に示すような挿入前半状態となる。
具体的には、左ガイドローラ４１３が光ディスクＤにより押されて、左ガイドアーム４１０がさらに時計回りに回動する。そして、この左ガイドアーム４１０の回動に伴い、第１左保持スリット４１４Ａが、その端部に向けて左ガイドサブピン４２２を移動させる。このため、左ガイドサブアーム４２０が左ガイドばね４２４に抗して、反時計回りに回動する。また、イジェクトアーム４４０のイジェクトローラ４５１に、光ディスクＤが当接する。
【００７５】
さらに、この挿入前半状態から光ディスクＤがさらに挿入されると、図１３に示すような挿入後半状態となる。
具体的には、左ガイドローラ４１３が光ディスクＤにより押されて、左ガイドアーム４１０が時計回りにさらに回動する。そして、この左ガイドアーム４１０の回動に伴い、第１左保持スリット４１４Ａが、第２左保持スリット４１４Ｂに向けて左ガイドサブピン４２２を移動させる。このため、左ガイドサブアーム４２０が左ガイドばね４２４に抗して、反時計回りに回動する。
また、左ガイドサブアーム４２０が反時計方向に回動し、左ガイドサブピン４２２が第２左保持スリット４１４Ｂに入ると、第２左保持スリット４１４Ｂは、左ガイドサブアーム４２０の回動支点を中心とした円弧で形成されているため、左ガイドローラ４１３が光ディスクＤにより押されても左ガイドアーム４１０を時計方向に回動することはできなくなる。
【００７６】
また、光ディスクＤの挿入により、イジェクトアーム４４０は光ディスクＤにより押されて、イジェクトばね４８６に抗して反時計回りに回動する。
また、イジェクトアーム４４０の回動により、イジェクトアーム４４０の第２イジェクトピン４４８が回動し、係合している右ガイドアーム４６０の右ガイドアームスリット４６６を第１右保持スリット４６６Ａから第２右保持スリット４４６Ｂ方向に移動する。この動きに連動して右ガイドアーム４６０が回動することにより、右ガイドローラ４７１はイジェクトローラ４５１と連動して光ディスクＤをガイドする状態になる。
また、イジェクトサブアーム４８０は、第３イジェクトサブピン４８４が第１保持溝２４５Ｂに係合しているので回動することはない。したがってイジェクトアーム４４０のイジェクトサブピン当接部４４３Ａとイジェクトサブアーム４８０の第１イジェクトサブピン４８２とは離反しながら、反時計方向に回動することになる。離反することで、光ディスクＤの挿入力が大きかったり、早く挿入されたときの破損の防止をしている。
この後、光ディスクＤの最大外径となる部分（以下、最大外径部分と称す）が左ガイドローラ４１３および右ガイドローラ４７１を結ぶ仮想線（以下、基準仮想線と称す）上に略位置する状態まで光ディスクＤが挿入されると、図２３（Ａ）に示すように、左アーム検出スイッチ５１０が左サブスイッチ当接部４２６と当接してオン状態となる。
【００７７】
この左アーム検出スイッチ５１０のオフ状態からオン状態となることにより、制御回路部は、図２３（Ｆ）に示すように、駆動機構２５０のモータ２６１を正転駆動させ、伝達部２８０を介してスライドカム２４０をベースプレート１１０の下側縁側へ移動させる。このスライドカム２４０の移動開始により、図２３（Ｅ）に示すように、上側カム検出スイッチ５５０はスライドカム２４０との当接が解除され、オン状態からオフ状態となる。この上側カム検出スイッチ５５０がオン状態からオフ状態となると、制御回路部は、スライドカム２４０が適切に移動を開始したと認識する。
そして、スライドカム２４０の移動により、イジェクトサブアーム４８０が回動され、第１イジェクトサブピン４８２がイジェクトアーム４４０のイジェクトサブピン当接部４４３Ａに当接してイジェクトアーム４４０を反時計回りに回動させる。このイジェクトアーム４４０の回動により、連結する右ガイドアーム４６０が、右ガイドばね４６８の付勢（引っ張り力）により右ガイドアーム４６０が反時計回りに回動し、第２イジェクトピン４４８が第２右保持スリット４６６Ｂの略中央まで移動する。この右ガイドアーム４６０が反時計回りに回動することにより、イジェクトアーム４４０、左ガイドローラ４１３および右ガイドローラ４７１により、基準仮想線を最大外径部分が通過した光ディスクＤをイジェクトローラ４５１側に押し込んでカバー１０１内に送り込む。
【００７８】
そして、右ガイドアーム４６０が反時計回りに回動し、光ディスクＤおよび開口部３８４の中心が略一致する保持位置としてのセンタリング状態の位置の直前まで光ディスクＤが移動されると、図２３（Ｂ）に示すように、右アーム検出スイッチ５２０は、右スイッチ当接部４６９と当接してオフ状態からオン状態となる。さらに、モータ２６１の正転駆動によりスライドカム２４０が下側縁側に移動すると、図２３（Ｄ）に示すように、中間カム検出スイッチ５４０がオフ状態からオン状態となり、制御回路部は、図１４および図１５に示すように、光ディスクＤおよび開口部３８４の中心が略一致するセンタリング状態の位置まで光ディスクＤが適切に挿入（搬送）されたことを認識する。
この状態で、イジェクトアーム４４０の第１当接部４４５Ａ１と、連結アーム４３０の第２連結ピン４３５とが当接する。
【００７９】
また、モータ２６１の正転駆動によりスライドカム２４０が下側縁側に移動すると、昇降機構２００の昇降ピン２１４は、スライドカム２４０の移動に伴い、図１５に示すように、第１昇降スリット２４３Ａおよび第２昇降スリット２４３Ｂの接続位置に位置する。このとき、昇降ピン２１４のベースプレート１１０までの距離が図７に示す状態と変わっていない。
このため、第１，第２シフトアーム２１０，２２０は、図１０に示すように、ベースプレート１１０に最も近接した位置に位置する。
【００８０】
そして、スライドカム２４０が所定位置まで移動すると、図１６および図１７に示すようなクランプ開始状態となる。
具体的には、昇降ピン２１４は、スライドカム２４０の移動に伴い、図１６に示すように、第２昇降スリット２４３Ｂおよび第３昇降スリット２４３Ｃの接続位置に位置する。このとき、昇降ピン２１４のベースプレート１１０までの距離がセンタリング状態と比べて長くなる。このため、第１，第２シフトアーム２１０，２２０は、図１７に示すように、センタリング状態と比べてベースプレート１１０から離れた位置に移動する。そして、この第１，第２シフトアーム２１０，２２０の移動に伴い、ターンテーブル３２１が上昇し、光ディスクＤの孔部は、ターンテーブル３２１の突出部３２１Ａに若干挿通される。
また、第２シフトアーム２２０がベースプレート１１０から離れる。このため、シャッタ制御ピン２２５および延出部１８７の当接が解除され、シャッタアーム１８０は、図１８に示すように、シャッタばね１９０の付勢により、シャッタ１７０をベースプレート１１０から離す状態に回動する。したがって、シャッタ機構１６０は、シャッタ閉状態となる。
【００８１】
この後、スライドカム２４０がさらに移動すると、図１９および図２０に示すようなチャッキング状態となる。
具体的には、昇降ピン２１４は、スライドカム２４０の移動に伴い、図１９に示すように、第３昇降スリット２４３Ｃおよび第４昇降スリット２４３Ｄの接続位置に位置する。このとき、昇降ピン２１４のベースプレート１１０までの距離がクランプ開始状態と比べて長くなる。このため、第１，第２シフトアーム２１０，２２０は、図２０に示すように、クランプ開始状態と比べてベースプレート１１０から離れた位置に移動する。
そして、この第１，第２シフトアーム２１０，２２０の移動に伴い、ターンテーブル３２１が上昇し、光ディスクＤの孔部は、ターンテーブル３２１の突出部３２１Ａに完全に挿通され、光ディスクＤの孔部周縁近部がフランジ部３２１Ｂに載置されて保持される。すなわち、光ディスクＤは、ターンテーブル３２１にクランプされる。
なお、クランプ開始状態からチャッキング状態にかけて、ここでは図示しないが、イジェクトサブアーム４８０の第３イジェクトサブピン４８４は、第１保持溝２４５Ａに沿って第２保持溝２４５Ｂ側から第３保持溝２４５Ｃ側に移動する。このため、第３イジェクトサブピン４８４が移動せず、ディスク保持機構４００は、図１４に示すように、光ディスクＤを保持する状態が維持される。
【００８２】
そして、スライドカム２４０がさらに移動すると、図２１に示すように、第３イジェクトサブピン４８４が第３保持溝２４５Ｃの先端側に案内され、イジェクトサブアーム４８０が時計回りに回動する。そして、この回動により、第１イジェクトサブピン４８２がイジェクトアーム４４０のイジェクトサブピン当接部４４３Ａを押圧し、イジェクトアーム４４０を反時計回りに回動させ、イジェクトローラ４５１を光ディスクＤから離間させる。
また、イジェクトアーム４４０が反時計回りに回動すると、連結アーム４３０の第２連結ピン４３５がイジェクトアーム４４０の第１当接部４４５Ａ１から第２当接部４４５Ａ２となり、連結ばね４３４の引っ張り力に抗して連結アーム４３０が時計回りに回動する。この回動により、連結アーム４３０の第１連結ピン４３２が左ガイドサブアーム４２０の連結ピン係合溝４２５Ｂに係合して左ガイドサブアーム４２０を反時計回りに回動させる。この左ガイドサブアーム４２０の回動により、連動して左ガイドアーム４１０が時計回りに回動し、左ガイドローラ４１３を光ディスクＤから離間させる。
さらに、イジェクトアーム４４０が反時計回りに回動すると、第２イジェクトピン４４８が第３右保持スリット４６６の先端まで移動し、この移動に伴い、右ガイドアーム４６０が右ガイドばね４６８に抗して、時計回りに回動する。そして、右ガイドローラ４７１を光ディスクＤから離間させる。また、右アーム検出スイッチ５２０は、図２３（Ｂ）に示すように、右スイッチ当接部４６９との当接が解除されて、オン状態からオフ状態となる。この右アーム検出スイッチ５２０のオン状態からオフ状態への切替により、制御回路部は、クランプ終了状態を認識する。
【００８３】
さらに、スライドカム２４０がさらに移動すると、図２１および図２２に示すような記録再生状態となる。
この状態では、光ディスクＤは、左ガイドローラ４１３、右ガイドローラ４７１、イジェクトローラ４５１と接触していない状態となり、記録や再生が可能となる。
【００８４】
また、昇降ピン２１４は、図２２に示すように、第５昇降スリット２４３Ｅの右端に位置する。このとき、第１，第２シフトアーム２１０，２２０は、図１７に示すような位置に移動する。
さらに、スライドカム２４０の移動により、図２３（Ｃ）に示すように、下側カム検出スイッチ５３０がオフ状態からオン状態になり、制御回路部は、記録再生状態を認識し、モータ２６１の駆動を停止する。
【００８５】
（光ディスクの排出動作）
次に、ディスクカメラレコーダ１の動作として、光ディスクＤの排出動作について説明する。
図２４は、各スイッチのオンオフ状態と光ディスクの搬送状態（光ディスクの排出状態）との関係を示すタイミングチャートで、（Ａ）は左アーム検出スイッチのオンオフ状態、（Ｂ）は右アーム検出スイッチのオンオフ状態、（Ｃ）は下側カム検出スイッチのオンオフ状態、（Ｄ）は中間カム検出スイッチのオンオフ状態、（Ｅ）は上側カム検出スイッチのオンオフ状態、（Ｆ）はモータの駆動状態である。
【００８６】
まず、ディスク処理部２０の制御回路部は、記録再生状態時において、光ディスクＤを排出する旨を認識すると、上述した光ディスクの挿入動作と逆の動作が実施される。すなわち、図２４（Ｆ）に示すように、モータ２６１を挿入動作時と逆方向に回転（逆転）させ、スライドカム２４０を上側縁側へ移動させる。
このスライドカム２４０の上側縁側への移動開始により、図２４（Ｃ）に示すように、下側カム検出スイッチ５３０がオン状態からオフ状態になり、制御回路部は、スライドカム２４０の適切な移動を認識する。
【００８７】
スライドカム２４０が移動すると、昇降機構２００およびディスク保持機構４００は、図２１、図２２に示す記録再生状態から、図１９、図２０に示すチャッキング状態へ移行する。
この記録再生状態からチャッキング状態への移行の際、スライドカム２４０の移動によりイジェクトサブアーム４８０が反時計回りに回動する。この回動により、第１イジェクトサブピン４８２はイジェクトアーム４４０のイジェクトサブピン当接部４４３Ａから離間する方向に移動するが、イジェクトアーム４４０はイジェクトばね４８６の引っ張り力により、第１イジェクトサブピン４８２およびイジェクトサブピン当接部４４３Ａを当接させつつ時計回りに回動し、イジェクトローラ４５１を光ディスクＤに当接させる。
また、イジェクトアーム４４０が時計回りに回動すると、連結アーム４３０の第２連結ピン４３５がイジェクトアーム４４０の第２当接部４４５Ａ２から外れ、連結ばね４３４の引っ張り力により連結アーム４３０が反時計回りに回動し、第２連結ピン４３５が第１当接部４４５Ａ１に係合する状態となる。この連結アーム４３０の回動により、左ガイドサブアーム４２０が左ガイドばね４２４の引っ張り力により時計回りに回動するとともに、連動して左ガイドアーム４１０を反時計回りに回動し、左ガイドローラ４１３を光ディスクＤに当接させる。
さらに、イジェクトアーム４４０が時計回りに回動すると、連動して右ガイドアーム４６０が右ガイドばね４６８の引っ張り力により反時計回りに回動する。そして、右ガイドローラ４７１を光ディスクＤに当接させる。この右ガイドアーム４６０の回動により、図２４（Ｂ）に示すように、右アーム検出スイッチ５２０は、オフ状態からオン状態となる。このことにより、制御回路部は、クランプ終了状態となったことを認識する。
【００８８】
ここの後、さらにスライドカム２４０が移動して、図１６、図１７に示すクランプ開始状態に移行し、図１４、図１５に示すセンタリング状態に順次移行する。この際、シャッタ機構１６０は、シャッタ閉状態からシャッタ開状態に移行する。
このとき、光ディスクＤは、ターンテーブル３２１に載置され、かつ、ディスク保持機構４００で周縁を保持されたまま、昇降機構２００の下降に伴いベースプレート１１０に近づく方向に移動し、アンクランプピン１３０の先端に当接する。そして、この当接状態から、さらに昇降機構２００が下降すると、光ディスクＤは、アンクランプピン１３０により下降が制限され、ターンテーブル３２１から離されてアンクランプされる。この後、さらにスライドカム２４０が移動し、昇降機構２００およびディスク保持機構４００は、センタリング状態へ移行する。すなわち、図２４（Ｄ）に示すように、中間カム検出スイッチ５４０がオン状態からオフ状態となり、制御回路部は、センタリング状態となったことを認識する。
光ディスクＤは、スライドカム２４０の移動によりイジェクトサブアーム４８０が反時計回りに回動するのに同期して回動するイジェクトローラ４５１と、連動する右ガイドローラ４７１により排出移動量を制御しながら、光ディスクDを、排出方向へ移動（搬出）する。このとき、左ガイドアーム４１０は、左ガイドサブピン４２２が第２左保持スリット４１４Ｂと係合しているため、時計回りに大きく回動できない状態となっている。また、イジェクトばね４８６によるイジェクトローラ４５１が光ディスクＤを排出する方向への付勢力は、右ガイドばね４６８による右ガイドローラ４７１が光ディスクＤを送り込む方向への付勢力よりも大きく設定されている。
このスライドカム２４０の移動により、右ガイドアーム４６０が回動されて光ディスクＤの搬出が開始されると、図２４（Ｂ）に示すように、右アーム検出スイッチ５２０は、オン状態からオフ状態となり、図１４に示すセンタリング状態および図１３に示す挿入後半状態の間の状態と略等しい状態へ移行する。つまり、図１３および図１４の間の状態において、第１イジェクトサブピン４８２およびイジェクトサブピン当接部４４３Ａが当接した状態へ移行する。
【００８９】
この後、さらにスライドカム２４０が移動し、昇降機構２００およびディスク保持機構４００は、図１２に示す挿入前半状態へ移行する。すなわち、図２４（Ａ）に示すように、左アーム検出スイッチ５１０がオン状態からオフ状態となった後に、図２４（Ｅ）に示すように、上側カム検出スイッチ５５０は、オフ状態からオン状態となり、制御回路部は、挿入前半状態となったことを認識し、モータ２６１の駆動を停止する。
【００９０】
排出途中では、光ディスクＤが排出方向へ移動し、最大外径部分が基準仮想線近傍に位置するまでの間、右ガイドアーム４６０が積極的に光ディスクＤを付勢しない形状に、右ガイドアームスリット４６６が形成されている。つまり、右ガイドアームスリット４６６は、イジェクトアーム４４０が時計回りに回動すると、第２イジェクトピン４４８との係合により、右ガイドアーム４６０を時計回りに回動させる形状に形成されている。このため、挿入後半状態から挿入前半状態では、光ディスクＤは、左ガイドローラ４１３および右ガイドローラ４７１により、光ディスクＤを積極的に排出できない程度の極めて軽い力により付勢され、ディスク挿通孔１０２Ａからの飛び出しが抑制されるようにしてある。
【００９１】
この後、光ディスクＤが利用者により取り出されると、ディスク保持機構４００は、図８などに示す挿入待機状態となる。すなわち、左ガイドアーム４１０が、挿入初期状態よりも反時計回りに回動して、左ガイドローラ４１３がディスク挿通孔１０２Ａ側に移動し、挿入待機状態となる。
【００９２】
〔ディスクカメラレコーダ置の作用効果〕
上述したように、上記実施の形態のディスクカメラレコーダ１では、ベースプレート１１０に第１シフトアーム２１０が回動可能に支持され、第２シフトアーム２２０が回動可能かつ左右方向に移動可能に支持されている。また、第１シフトアーム２１０および第２シフトアーム２２０は、略中間位置にそれぞれ連結軸孔２１２Ｃ，２１３Ｃ、２２２Ｃ，２２３Ｃが穿設され、これらのうち連結軸孔２１２Ｃおよび連結軸孔２２２Ｃ、連結軸孔２１３Ｃおよび連結軸孔２２３Ｃを連結することで互いに相対回動可能に連結されている。さらに、第１シフトアーム２１０および第２シフトアーム２２０のアーム基部２１１，２２１の両端にはそれぞれ略コ字状の開口側に突出する載置部２１１Ａ，２２１Ａが設けられ、これらの載置部２１１Ａ，２２１Ａにターンテーブル３２１を支持するディスク情報処理部３００が載置されて保持されている。そして、第１シフトアーム２１０のアーム基部２１１には、コ字開口部と反対側に突出する昇降ピン２１４が突出し、スライドカム２４０の昇降制御スリット２４３に係合され、このスライドカム２４０の移動により第１シフトアーム２１０が光ディスクＤに進退する状態に回動する。
このため、スライドカム２４０の移動により第１シフトアーム２１０が回動すると、連結軸孔２１２Ｃ，２１３Ｃ、２２２Ｃ，２２３Ｃで第１シフトアーム２１０に連結された第２シフトアーム２２０も回動する。この時、第２シフトアーム２２０のコ字開口端部は左右方向にも移動可能に設けられているため、第２シフトアーム２２０は、アーム部２１２，２２２のアーム基部２１１，２２１側の先端部間の距離、およびアーム部２１３，２２３のアーム基部２１１，２２１側の先端部間の距離を略維持した状態で回動することができる。よって、アーム基部２１１，２２１の両端側の保持されたディスク情報処理部３００は、センタリング状態の位置に搬送された光ディスクＤに略平行する状態で光ディスクＤに対して進退することができる。これにより、ターンテーブル３２１の突出部３２１Ａは、光ディスクＤの孔部に対して略直交する状態で進退することができるので、光ディスクＤの中心とターンテーブル３２１の中心とがずれる中心ずれが発生しない。また、光ディスクＤをターンテーブル３２１にチャッキングする際に、光ディスクＤとフランジ部３２１Ｂとが当接する前に突出部３２１Ａが光ディスクＤの孔部に挿入することができるため、フランジ部３２１Ｂの当接による光ディスクＤの位置ずれなどをも防止できる。したがって、良好にターンテーブル３２１に光ディスクＤを保持することができる。
【００９３】
また、第１シフトアーム２１０は、アーム基部２１１、アーム上部２１２、およびアーム下部２１３により略コ字状に形成され、第２シフトアーム２２０も同様にアーム基部２２１、アーム上部２２２、アーム下部２２３により略コ字状に形成されている。そして、アーム上部２１２，２２２およびアーム下部２１３，２２３のコ字開口側端部がベースプレート１１０に回動可能に支持されている。
このため、第１シフトアーム２１０および第２シフトアームのコ字開口側同士を向かい合わせて略矩形状の領域を容易に形成することができ、この領域にディスク情報処理部３００を保持することで、ディスク情報処理部３００をベースプレート１１０に略平行する状態に安定して保持することができる。したがって、ディスク情報処理部３００とベースプレート１１０との略平行状態を良好に維持した状態で、このディスク情報処理部３００をセンタリング状態に位置する光ディスクＤに接離する方向にすることができ、より確実に光ディスクＤを保持することができる。また、第１シフトアーム２１０および第２シフトアーム２２０が略コ字状に形成されるため、第１シフトアーム２１０および第２シフトアーム２２０の強度が向上し、衝撃などが加わった場合でも変形などすることなく、良好にディスク情報処理部３００を保持することができる。
【００９４】
また、ディスク情報処理部３００の台座部３１０の四隅に台座取付部３１１がそれぞれ設けられ、これらの台座取付部３１１が第１，第２シフトアーム２１０，２２０の載置部２１１Ａ，２２１Ａに載置されて保持されている。
このため、台座部３１０を略コ字状の第１，第２シフトアーム２１０，２２０にて形成される矩形領域の四隅に合わせて保持させることができ、台座部３１０の取り付けが容易になる。また、前記矩形領域の四隅に台座部３１０の四隅を略一致させて取り付けることで、ディスク情報処理部３００をより安定した状態で第１，第２シフトアーム２１０，２２０に保持させることができる。
【００９５】
そして、ディスク情報処理部３００の台座部３１０は、ゴムブッシュ３１２を介して第１、第２シフトアーム２１０，２２０の載置部２１１Ａ，２２１Ａに載置されて保持されている。
このため、ディスク情報処理部３００は、ゴムブッシュ３１２の弾性変形の変位内で揺動可能であり、例えば第１シフトアーム２１０の載置部２１１Ａと第２シフトアーム２２１Ａの高さ位置が異なった場合でも、揺動により光ディスクＤと略平行な状態を維持することができる。また、外部から衝撃が加わった場合でも、第１，第２シフトアーム２１０，２２０からの衝撃がゴムブッシュ３１２により緩和され、ディスク情報処理部３００への衝撃が小さくなる。したがって、情報処理部３４０や光ピックアップ３４４への衝撃も緩和され、衝撃によるこれらの情報処理部３４０や光ピックアップ３４４の損傷を防止できる。
【００９６】
そして、第１シフトアーム２１０のアーム基部２１１に設けられた昇降ピン２１４をスライドカム２４０の昇降制御スリット２４３に係合し、スライドカム２４０の移動により第１シフトアーム２１０のアーム基部２１１側を光ディスクＤに接離する方向に移動させている。
このため、昇降機構２００を駆動させるモータユニット２６０や伝達部２８０、スライドカム２４０を第１、第２シフトアーム２１０，２２０の移動に接触しない位置に設けることができる。したがって、スムーズに第１，第２シフトアーム２１０，２２０を回動駆動させることができる。また、昇降機構２００を駆動させるための回動手段をディスク情報処理部３００の移動方向に設けないため、ディスク処理部２０の厚み寸法の増大をも抑えることができ、装置の薄型化にも良好に対応できる。
【００９７】
そして、ベースプレート１１０の第１立設部１１１および第３立設部１１３には、それぞれ略円形の軸孔１１１Ａおよび軸孔１１３Ａが設けられ、これらの軸孔１１１Ａおよび軸孔１１３Ａと、アーム上部２１２の回動軸孔２１２Ａおよびアーム下部２１３の回動軸孔２１３Ｂとが回動軸２３１により回動自在に支持されている。また、ベースプレート１１０の第１立設部１１１および第２立設部１１２には、それぞれ左右方向に長手となる長軸孔１１１Ｂおよび長軸孔１１２Ａが設けられ、これらの長軸孔１１１Ｂ，１１２Ａと、アーム上部２２２の回動軸孔２２２Ａおよびアーム下部２２３の回動軸孔２２３Ａとが回動軸２３２，２３３により回動自在に支持されている。
このため、ベースプレート１１０に設けられる軸孔１１１Ａ，１１３Ａおよび長軸孔１１１Ｂ，１１２Ａに回動軸を介して第１，第２シフトアーム２１０，２２０を支持させるだけの簡単な構成で、第２シフトアーム２２０を回動可能、かつ水平方向に移動可能に支持することができる。したがって、簡単な構成でディスク情報処理部３００を光ディスクＤに対して略平行に進退させることができる。
【００９８】
また、第１シフトアーム２１０のアーム上部２１２には、長孔２１２Ｂが設けられている。そして、第２シフトアーム２２０を回動可能かつ左右方向に移動可能の保持する回動軸２３３がこの長孔２１２Ｂに挿通されている。このため、回動軸２３３が第１シフトアーム２１０の回動を阻害することなく、良好に回動させることができる。また、第１シフトアーム２１０と回動軸２３３とが接触しないため、第１シフトプレート２１０をベースプレート１１０に最も近接する位置に移動させた際に、第１シフトプレート２１０および第２シフトプレート２２０を略並列する状態に配置することができ、ディスク処理部２０の厚み寸法の増大を抑えて小型化に対応することができる。
【００９９】
そして、カメラディスクレコーダ１に上記のような昇降機構２００が設けられている。このため、カメラディスクレコーダ１の保持角度により光ディスクＤのセンタリング状態の位置がずれた場合でも、ターンテーブル３２１を光ディスクＤに対して略平行な姿勢を維持した状態で、この光ディスクＤに対して進退させることができ、光ディスクＤのミスクランプなどの不都合を防止することができる。
【０１００】
〔実施形態の変形〕
なお、本発明は、上述した一実施の形態に限定されるものではなく、本発明の目的を達成できる範囲で以下に示される変形をも含むものである。
【０１０１】
例えば、上記実施の形態では、略コ字状の第１、第２シフトアーム２１０，２２０を例示したが、例えば略Ｕ字状に湾曲した形状の第１，第２シフトアーム２１０，２２０を用いてもよい。
また、長手棒状の第１シフトアームの長手一端部をベースプレート１１０に回動可能に支持し、同じく長手棒状の第２シフトアームの長手一端部を第一シフトアームの長手一端部に向かう方向に進退可能かつ回動可能にベースプレート１１０に支持し、これらの第１，第２シフトアームの長手他端部にディスク情報処理部３００を保持させる構成としてもよい。このような構成でも、第１シフトアームおよび第２シフトアームの略中央部を回動可能に連結することで、上記実施の形態と同様に、ディスク情報処理部３００を光ディスクＤに略平行な姿勢に維持した状態で、光ディスクＤに対して進退させることができる。また、棒状の一対の略平行する第１シフトアームをベースプレート１１０に回動可能の支持し、第２シフトアームを水平方向に移動可能、かつ回動可能にベースプレート１１０に支持し、これらの第１シフトアームおよび第２シフトアームの略中央部を回動可能に連結する構成としてもよい。
【０１０２】
また、上記実施の形態では、弾性部材としてリング状のゴムブッシュ３１２を例示したが、例えばコイルバネなどの他の弾性部材を用いた構成としてもよい。
【０１０３】
さらに、ベースプレート１１０の第１立設部１１１および第２立設部１１２に左右方向に長手となる長軸孔１１１Ｂ，１１２Ａを設け、これらの長軸孔１１１Ｂ，１１２Ａに回動軸２３２，２３３を挿通させて第２シフトアーム２２０を左右方向に移動に移動可能かつ回動可能に保持したが、これに限定されない。例えば、第２シフトアーム２２０を回動可能に支持する軸孔が設けられる立設部が、ベースプレート１１０に対して左右方向に移動可能に設けられた構成であってもよい。この場合、例えばベースプレートの左右方向にレール部材を敷設し、このレール部材に軸孔が設けられる立設部を摺動可能に保持させる。このような構成でも、第１シフトアーム２１０の回動により第２シフトアーム２２０の一端部を左右方向に移動させつつ、回動させることができるので、上記実施の形態と同様に、ディスク情報処理部３００を光ディスクＤに略平行する姿勢を維持したまま、光ディスクＤに対して進退させることができる。
【０１０４】
また、第１シフトアーム２１０のアーム基部２１１に設けられる昇降ピン２１４をスライドカム２４０にて昇降させることで、第１シフトアーム２１０および第２シフトアーム２２０を回動させる構成を示したが、これに限らない。例えば第１シフトアーム２１０のコ字開口側の端部を円弧状に形成してラックを設け、このラックに例えばモータの駆動力を伝達する歯車を係合させる構成などとしてもよい。
【０１０５】
また、台座部３１０が第１、第２シフトアーム２１０，２２０により形成される矩形領域の四隅に保持される例を示したが、例えばアーム基部２１１，２２１の中間位置に台座部３１０を保持させる構成であってもよい。また、台座部３１０を保持する箇所の数も４つに限られず、例えば台座部３１０の四隅の他、台座部３１０の矩形各辺の中間位置を第１、第２シフトアーム２１０，２２０のアーム基部２１１，２２１に保持させる構成としてもよい。
【０１０６】
そして、上記実施の形態では、ディスクカメラレコーダ１に昇降機構２００を備えたディスク処理部２０を設ける構成としたが、これに限らない。例えば、パーソナルコンピュータなどに搭載されるディスク装置や、車載用のディスクプレーヤ装置、録画再生装置などの他の電子機器に上記のような昇降機構２００を設ける構成としてもよい。
【０１０７】
さらに、上記実施の形態では、記録媒体として、例えばＣＤ(Compact Disc)、ＤＶＤ(Digital Versatile Disc)、ＢＤ(Blu-ray Disc)などの光ディスクＤを例示したがこれに限られず、例えば光磁気ディスク、磁気ディスクを用いてもよく、さらにこれらの光ディスク、光磁気ディスク、磁気ディスクがカートリッジなどのケースに収納されたカートリッジタイプの記録媒体を用いてもよい。
【０１０８】
その他、本発明の実施の際の具体的な構造および手順は、本発明の目的を達成できる範囲で他の構造などに適宜変更できる。
【０１０９】
〔実施の形態の効果〕
上述したように、上記実施の形態のディスクカメラレコーダ１では、ベースプレート１１０に第１シフトアーム２１０が回動可能に支持され、第２シフトアーム２２０が回動可能かつ左右方向に移動可能に支持されている。また、第１シフトアーム２１０および第２シフトアーム２２０は、略中間位置にそれぞれ連結軸孔２１２Ｃ，２１３Ｃ、２２２Ｃ，２２３Ｃが穿設され、これらのうち連結軸孔２１２Ｃおよび連結軸孔２２２Ｃ、連結軸孔２１３Ｃおよび連結軸孔２２３Ｃを連結することで互いに相対回動可能に連結されている。さらに、第１シフトアーム２１０および第２シフトアーム２２０のアーム基部２１１，２２１の両端にはそれぞれ略コ字状の開口側に突出する載置部２１１Ａ，２２１Ａが設けられ、これらの載置部２１１Ａ，２２１Ａにターンテーブル３２１を支持するディスク情報処理部３００が載置されて保持されている。そして、第１シフトアーム２１０のアーム基部２１１には、コ字開口部と反対側に突出する昇降ピン２１４が突出し、スライドカム２４０の昇降制御スリット２４３に係合され、このスライドカム２４０の移動により第１シフトアーム２１０が光ディスクＤに進退する状態に回動する。
このため、第１シフトアーム２１０が回動すると、連結軸孔２１２Ｃ，２１３Ｃ、２２２Ｃ，２２３Ｃで連結された第２シフトアーム２２０も回動する。この時、第２シフトアーム２２０は左右方向にも移動可能に設けられているため、第１シフトアーム２１０および第２シフトアーム２２０は、第１シフトアーム２１０および第２シフトアーム２２０のアーム部２１２，２２２のアーム基部２１１，２２１側の先端部間の距離、およびアーム部２１３，２２３のアーム基部２１１，２２１側の先端部間の距離を略維持した状態で回動することができ、センタリング状態の位置に搬送された光ディスクＤに略平行する状態でディスク情報処理部３００およびターンテーブル３２１を移動させることができる。したがって、ターンテーブル３２１の突出部３２１Ａは、光ディスクＤの孔部に対して略直交する状態で進退することができるので、光ディスクＤの中心とターンテーブル３２１の中心とがずれる中心ずれが発生しない。また、光ディスクＤをターンテーブル３２１にチャッキングする際に、光ディスクＤとフランジ部３２１Ｂとが当接する前に突出部３２１Ａが光ディスクＤの孔部に挿入することができるため、フランジ部３２１Ｂの当接による光ディスクＤの位置ずれなどをも防止できる。したがって、良好にターンテーブル３２１に光ディスクＤを保持することができる。
【図面の簡単な説明】
【０１１０】
【図１】本発明の一実施の形態に係るディスクカメラレコーダの全体の概略を模式的に示す図である。
【図２】前記一実施の形態におけるディスクカメラレコーダを構成するディスク処理部の内部構成を示す平面図である。
【図３】前記一実施の形態におけるディスク処理部の下側縁側を表す図である。
【図４】前記一実施の形態におけるディスク処理部の上側縁側を表す図である。
【図５】前記一実施の形態におけるディスク処理部の左側縁側を表す図である。
【図６】前記一実施の形態におけるディスク処理部の右側縁側を表す図である。
【図７】前記一実施の形態におけるディスク処理部の右側縁側を表す断面図である。
【図８】前記一実施の形態におけるディスク処理部の平面図である。
【図９】前記一実施の形態における挿入待機状態でのディスク処理部の上側縁側を表す図である。
【図１０】前記一実施の形態における挿入待機状態での昇降機構の状態を表す図である。
【図１１】前記一実施の形態における挿入初期状態でのディスク処理部の平面図である。
【図１２】前記一実施の形態における挿入前半状態でのディスク処理部の平面図である。
【図１３】前記一実施の形態における挿入後半状態でのディスク処理部の平面図である。
【図１４】前記一実施の形態におけるセンタリング状態でのディスク処理部の平面図である。
【図１５】前記一実施の形態におけるセンタリング状態での昇降ピンおよびスライドカムの係合状態を表す図である。
【図１６】前記一実施の形態におけるクランプ開始状態での昇降ピンおよびスライドカムの係合状態を表す図である。
【図１７】前記一実施の形態におけるクランプ開始状態での昇降機構の状態を表す図である。
【図１８】前記一実施の形態におけるクランプ開始状態でのシャッタ機構の状態を表す図である。
【図１９】前記一実施の形態におけるチャッキング状態での昇降ピンおよびスライドカムの係合状態を表す図である。
【図２０】前記一実施の形態におけるチャッキング状態での昇降機構の状態を表す図である。
【図２１】前記一実施の形態における記録再生状態でのディスク処理部の平面図である。
【図２２】前記一実施の形態における記録再生状態での昇降ピンおよびスライドカムの係合状態を表す図である。
【図２３】前記一実施の形態における各スイッチのオンオフ状態と光ディスクの搬送状態（光ディスクの挿入状態）との関係を示すタイミングチャートで、（Ａ）は左アーム検出スイッチのオンオフ状態、（Ｂ）は右アーム検出スイッチのオンオフ状態、（Ｃ）は下側カム検出スイッチのオンオフ状態、（Ｄ）は中間カム検出スイッチのオンオフ状態、（Ｅ）は上側カム検出スイッチのオンオフ状態、（Ｆ）はモータの駆動状態である。
【図２４】前記一実施の形態における各スイッチのオンオフ状態と光ディスクの搬送状態（光ディスクの排出状態）との関係を示すタイミングチャートで、（Ａ）は左アーム検出スイッチのオンオフ状態、（Ｂ）は右アーム検出スイッチのオンオフ状態、（Ｃ）は下側カム検出スイッチのオンオフ状態、（Ｄ）は中間カム検出スイッチのオンオフ状態、（Ｅ）は上側カム検出スイッチのオンオフ状態、（Ｆ）はモータの駆動状態である。
【符号の説明】
【０１１１】
１        …撮像装置としてのディスクカメラレコーダ
２０      …ディスク装置としてのディスク処理部
２１      …筐体を構成するディスク設置部
１０２Ａ  …挿通口としてのディスク挿通孔
１１０    …筐体を構成するベース部材としてのベースプレート
１１１Ａ  …第一回動軸孔としての軸孔
１１１Ｂ  …第二回動軸孔としての長軸孔
１１２Ａ  …第一回動軸孔としての軸孔
１１３Ａ  …第二回動軸孔としての長軸孔
２００    …ディスク保持装置としての昇降機構
２１０    …第一部材としての第１シフトアーム
２１１    …第一アーム基部としてのアーム基部
２１２    …第一アーム部としてのアーム上部
２１３    …第一アーム部としてのアーム下部
２２０    …第二部材としての第２シフトアーム
２２１    …第二アーム基部としてのアーム基部
２２２    …第二アーム部としてのアーム上部
２２３    …第二アーム部としてのアーム下部
２３１    …軸部材としての回動軸
２３２    …軸部材としての回動軸
２３３    …軸部材としての回動軸
２４０    …回動手段としてのスライドカム
３００    …ディスク保持部材としてのディスク情報処理部
３１０    …台座部
３１２    …弾性部材としてのゴムブッシュ
３２１    …保持部としてのターンテーブル
３４０    …情報処理部
Ｄ        …記録媒体としての光ディスク
【図１】
2008084354.tif 000003
【図２】
2008084354.tif 000004
【図３】
2008084354.tif 000005
【図４】
2008084354.tif 000006
【図５】
2008084354.tif 000007
【図６】
2008084354.tif 000008
【図７】
2008084354.tif 000009
【図８】
2008084354.tif 000010
【図９】
2008084354.tif 000011
【図１０】
2008084354.tif 000012
【図１１】
2008084354.tif 000013
【図１２】
2008084354.tif 000014
【図１３】
2008084354.tif 000015
【図１４】
2008084354.tif 000016
【図１５】
2008084354.tif 000017
【図１６】
2008084354.tif 000018
【図１７】
2008084354.tif 000019
【図１８】
2008084354.tif 000020
【図１９】
2008084354.tif 000021
【図２０】
2008084354.tif 000022
【図２１】
2008084354.tif 000023
【図２２】
2008084354.tif 000024
【図２３】
2008084354.tif 000025
【図２４】
2008084354.tif 000026